(57)【要約】エネルギ貯蔵特性を有するゴルフクラブヘッドの実施形態がここに提供される。いくつかの実施形態では、ゴルフクラブヘッドは、中空ボディであって、打球面と、ヒール領域と、ヒール領域に対向するトウ領域と、ソールと、クラウンと、クラブヘッドの打球面の後ろであり、かつ、クラブヘッドのソールの上に配置されるキャビティと、を有する中空ボディを備える。多くの実施形態では、キャビティは、前面と、後面と、を備え、前面の少なくとも一部は、打球面に向かって延びる。【選択図】図２８
2019504716.tif 000002
【特許請求の範囲】
【請求項１】
ゴルフクラブヘッドであって、
中空ボディと、
打球面と、
ヒール領域と、
前記ヒール領域に対向するトウ領域と、
ソールと、
クラウンと、
前記クラブヘッドの前記打球面の後ろであり、かつ、前記クラブヘッドの前記ソールの上に配置されるキャビティと、
を備え、
前記キャビティは、
前記ソールに隣接する前エッジと、
前記ソールに隣接する後エッジと、
前記前エッジと前記後エッジとの間を前記ソールから内側に延びる主部と、
前記主部から前記打球面に延びるインセット部と、
前記キャビティの最も深い部分に沿って位置しており、前記ヒール領域から前記トウ領域に延びる頂点軸であって、前記キャビティの裏面から前記キャビティの前面を分離する前記頂点軸と、
を有し、
前記前面は、前記前エッジから前記頂点軸に延び、
前記裏面は、前記頂点軸から前記後エッジに延び、
前記前面の少なくとも一部は、前記打球面に向かって延びる、
ゴルフクラブヘッド。
【請求項２】
前記クラブヘッドの容積は、６０ｃｃよりも小さい、請求項１に記載のゴルフクラブヘッド。
【請求項３】
前記クラブヘッドの容積は、４０〜６０ｃｃの間である、請求項１に記載のゴルフクラブヘッド。
【請求項４】
前記キャビティの前記前エッジは、前記打球面から、０．５０インチ以下の距離だけオフセットしている、請求項１に記載のゴルフクラブヘッド。
【請求項５】
前記キャビティの前記前エッジは、前記打球面から、０．１０インチ以下の距離だけオフセットしている、請求項１に記載のゴルフクラブヘッド。
【請求項６】
前記キャビティの前記前エッジは、前記打球面から、一定の距離だけオフセットしている、請求項１に記載のゴルフクラブヘッド。
【請求項７】
前記打球面の中心の近くの前記キャビティの前記前エッジは、前記ヒール領域と前記トウ領域との少なくとも１つの領域の近くの前記キャビティの前記前エッジよりも前記打球面に近い、請求項１に記載のゴルフクラブヘッド。
【請求項８】
前記キャビティの前記前面は、さらに、
前記クラブヘッドの側部断面図において、前記打球面の最も近くに位置する最前点と、
前記クラブヘッドの前記側部断面図において、前記打球面から最も遠くに位置する最後点と、
を有し、
前記最前点と前記最後点とを通って延びる軸は、前記打球面と鋭角に交差する、
請求項１に記載のゴルフクラブヘッド。
【請求項９】
前記前面の前記最前点と前記最後点とを通って延びる前記軸は、前記クラブヘッドのロフト面に対して５度から８５度の間の角度に位置する、請求項１に記載のゴルフクラブヘッド。
【請求項１０】
前記キャビティは、さらに、前記ヒール領域から前記トウ領域に延びる長さを有し、
前記クラブヘッドのロフト面は、前記打球面の幾何学的中心を通るように配置され、
複数の軸であって、前記キャビティの前記長さに沿った各位置において、前記ロフト面に平行に延び、前記前エッジを通る前記複数の軸によって形成される平面は、前記キャビティの前記主部と前記インセット部とを分離する、
請求項１に記載のゴルフクラブヘッド。
【請求項１１】
ゴルフクラブヘッドであって、
中空ボディと、
打球面と、
ヒール領域と、
前記ヒール領域に対向するトウ領域と、
ソールと、
クラウンと、
前記クラブヘッドの前記打球面の後ろであり、かつ、前記クラブヘッドの前記クラウンの上に位置するキャビティと、
を備え、
前記キャビティは、
前記クラウンに隣接する前エッジと、
前記クラウンに隣接する後エッジと、
前記前エッジと前記後エッジとの間を前記クラウンから内側に延びる主部と、
前記主部から前記打球面に延びるインセット部と、
前記キャビティの最も深い部分に沿って位置しており、前記ヒール領域から前記トウ領域に延びる天底軸であって、前記キャビティの裏面から前記キャビティの前面を分離する前記天底軸と、
を有し、
前記前面は、前記前エッジから前記天底軸に延び、
前記裏面は、前記天底軸から前記後エッジに延び、
前記前面の少なくとも一部は、前記打球面に向かって延びる、
ゴルフクラブヘッド。
【請求項１２】
前記クラブヘッドの容積は、６０ｃｃよりも小さい、請求項１１に記載のゴルフクラブヘッド。
【請求項１３】
前記クラブヘッドの容積は、４０〜６０ｃｃの間である、請求項１１に記載のゴルフクラブヘッド。
【請求項１４】
前記キャビティの前記前エッジは、前記打球面から、０．５０インチ以下の距離だけオフセットしている、請求項１１に記載のゴルフクラブヘッド。
【請求項１５】
前記キャビティの前記前エッジは、前記打球面から、０．１０インチ以下の距離だけオフセットしている、請求項１１に記載のゴルフクラブヘッド。
【請求項１６】
前記キャビティの前記前エッジは、前記打球面から、一定の距離だけオフセットしている、請求項１１に記載のゴルフクラブヘッド。
【請求項１７】
前記打球面の中心の近くの前記キャビティの前記前エッジは、前記ヒール領域と前記トウ領域との少なくとも１つの領域の近くの前記キャビティの前記前エッジよりも前記打球面に近い、請求項１１に記載のゴルフクラブヘッド。
【請求項１８】
前記キャビティの前記前面は、さらに、
前記クラブヘッドの側部断面図において、前記打球面の最も近くに位置する最前点と、
前記クラブヘッドの前記側部断面図において、前記打球面から最も遠くに位置する最後点と、
を有し、
前記最前点と前記最後点とを通って延びる軸は、前記打球面と鋭角に交差する、
請求項１１に記載のゴルフクラブヘッド。
【請求項１９】
前記前面の前記最前点と前記最後点とを通って延びる前記軸は、前記クラブヘッドのロフト面に対して５度から８５度の間の角度に位置する、請求項１１に記載のゴルフクラブヘッド。
【請求項２０】
前記キャビティは、さらに、前記ヒール領域から前記トウ領域に延びる長さを有し、
前記クラブヘッドのロフト面は、前記打球面の幾何学的中心を通るように配置され、
複数の軸であって、前記キャビティの前記長さに沿った各位置において、前記ロフト面に平行に延び、前記前エッジを通る前記複数の軸によって形成される平面は、前記キャビティの前記主部と前記インセット部とを分離する、
請求項１１に記載のゴルフクラブヘッド。
【発明の詳細な説明】
【技術分野】
【０００１】
（関連出願の相互参照）
本願は、２０１５年８月１７日に出願された米国仮出願番号第６２／２０６，１５２号、２０１５年３月１１日に出願された米国仮出願番号第６２／１３１，７３９号、２０１５年１月２０日に出願された米国仮出願番号第６２／１０５，４６０号、２０１５年１月２０日に出願された米国仮出願番号第６２／１０５，４６４号、及び、２０１４年１０月２４日に出願された米国仮出願番号第６２／０６８，２３２号の利益を主張する、２０１５年１０月２２日に出願された米国特許出願番号第１４／９２０，４８４号の一部継続出願である。本願は、更に、２０１６年２月１６日に出願された米国仮特許出願番号第６２／２９５，５６５号、及び、２０１６年３月２５日に出願された米国仮特許出願第６２／３１３，２１５号の利益を主張する。上記に記載した開示の全ての内容が、その全体が参照により本明細書に完全に組み込まれる。
【０００２】
本開示は、全体的にはゴルフクラブに関し、特に、エネルギ貯蔵特性を有するゴルフクラブヘッドに関する。
【背景技術】
【０００３】
ゴルフクラブ製造業者は、ゴルフクラブヘッドの打球面における応力を軽減するようにゴルフクラブヘッドをデザインしている。多くの例では、これらのデザインは、ゴルフクラブヘッドのクラウンがソール方向に撓まないようにする。更に、これらのデザインは、ゴルフボールとのインパクトによるゴルフクラブヘッドにおけるゴルフクラブヘッドの曲げのピークとなる位置が変化せず、ばねエネルギを追加的に貯えないように、デザインされる。追加的ばねエネルギは、打球面の全体でボール速度を増大することを可能とする。
【０００４】
実施形態の更なる説明を容易とするために、以下の図面が提供される。
【図面の簡単な説明】
【０００５】
【図１】実施形態によるゴルフクラブヘッドの前部クラウン側斜視図を示す。
【図２】図１の断面線ＩＩ−ＩＩに沿う図１のゴルフクラブヘッドを示す。
【図３】他の実施形態による図１の断面線ＩＩ−ＩＩと同様な断面線に沿う、図１のゴルフクラブヘッドと同様なゴルフクラブヘッドの一部の図を示す。
【図４】他の実施形態による図１の断面線ＩＩ−ＩＩと同様な断面線に沿う、図１のゴルフクラブヘッドと同様なゴルフクラブヘッドの一部の図を示す。
【図５】他の実施形態による図１の断面線ＩＩ−ＩＩと同様な断面線に沿う、図１のゴルフクラブヘッドと同様なゴルフクラブヘッドの一部の図を示す。
【図６】他の実施形態による図１の断面線ＩＩ−ＩＩと同様な断面線に沿う、図１のゴルフクラブヘッドと同様なゴルフクラブヘッドの一部の図を示す。
【図７】他の実施形態による図１の断面線ＶＩＩ−ＶＩＩと同様な断面線に沿う、図１のゴルフクラブヘッドと同様なゴルフクラブの断面図を示す。
【図８】実施形態による図４のゴルフクラブヘッドと同様なゴルフクラブヘッドの一部の図及び標準のゴルフクラブヘッドの同じ区域の図を示す。
【図９】方法の実施形態によるゴルフクラブヘッドを製造する方法を示す。
【図１０】実施形態によるゴルフクラブヘッドの後部トウ側斜視図を示す。
【図１１】図１０の実施形態によるゴルフクラブヘッドの後部ヒール側斜視図を示す。
【図１２】図１０の断面線ＸＩＩ−ＸＩＩに沿う、図１０のゴルフクラブヘッドの断面図を示す。
【図１３】図１２のゴルフクラブヘッドの一部の図及び標準のゴルフクラブヘッドの同じ区域の図を示す。
【図１４】他の実施形態による、図１０の断面線ＸＩＩ−ＸＩＩと同様な断面線に沿う、図１０のゴルフクラブヘッドと同様なゴルフクラブヘッドの断面図を示す。
【図１５】他の実施形態によるゴルフクラブの後部トウ側斜視図を示す。
【図１６】図１５の断面線ＸＶＩ−ＸＶＩに沿う、図１５のゴルフクラブヘッドの断面図を示す。
【図１７】他の方法の実施形態によるゴルフクラブヘッドを製造する方法を示す流れ図を示す。
【図１８】他の実施形態によるゴルフクラブの前部斜視図を示す。
【図１９】他の実施形態による、図１４のゴルフクラブヘッドのテストの結果を示す。
【図２０】他の実施形態による、図１４のゴルフクラブヘッドのテストの結果を示す。
【図２１】図１０のゴルフクラブヘッドの断面図を示す。
【図２２】他の実施形態による例示的なゴルフクラブヘッドの後方斜視図を示す。
【図２３】図２２の例示的なゴルフクラブヘッドの断面図を示す。
【図２３Ａ】図２３の例示的なゴルフクラブヘッドの断面図の一部の拡大図を示す。
【図２４】図２２の実施形態による他の例示的なゴルフクラブヘッドの断面図を示す。
【図２４Ａ】図２４の例示的なゴルフクラブヘッドの断面図の一部の拡大図を示す。
【図２５】図２２の実施形態による他の例示的なゴルフクラブヘッドの断面図を示す。
【図２６】図２２の実施形態による他の例示的なゴルフクラブヘッドの後方斜視図を示す。
【図２７】図２６の例示的なゴルフクラブヘッドの断面図を示す。
【図２７Ａ】図２７の例示的なゴルフクラブヘッドの断面図の一部の拡大図を示す。
【図２８】他の例示的なゴルフクラブヘッドの断面図を示す。
【図２９】他の例示的なゴルフクラブヘッドの断面図を示す。
【図３０】他の例示的なゴルフクラブヘッドの断面図を示す。
【発明を実施するための形態】
【０００６】
簡単かつ明瞭に示すため、図は構造の一般的な態様を示し、周知の特徴及び技術の説明及び詳細は、ゴルフクラブ及びその製造方法を不必要に不明瞭にするのを防止するため、省略することがある。更に、図中の部材は、必ずしも縮尺に合わせて描かれてはいない。例えば、図中のいくつかの部材の寸法は、他の部材に対して誇張し、ゴルフクラブ及びその製造方法の実施形態が向上するのを支援する。異なる図における同じ参照番号は、同じ部材を示す。
【０００７】
明細書及び請求の範囲における「第１」、「第２」、「第３」及び「第４」等の用語は、存在する場合には、同様な部材の間を識別するために使用しており、必ずしも特定の順序または経時的順番を記述するものではない。そのように使用される用語は、本明細書に記載のゴルフクラブ及び製造方法の実施形態が、例えば、本明細書に説明されまたは記載された以外の順序で操作可能であるような適切な状況下において互いに交換可能であることが理解される。更に、「ｃｏｎｔａｉｎ」、「ｉｎｃｌｕｄｅ」及び「ｈａｖｅ」の用語及びその変化は、非排他的な包含を含むことを意図しており、部材のリストを含むプロセス、方法、物品または装置は、必ずしもこれらの部材に制限されるものではなく、このようなプロセス、方法、物品または装置に明示的に表示されずまたは本来の他の部材を包含してもよい。
【０００８】
明細書及び請求の範囲に「左」、「右」、「前」、「後」、「頂部」、「底部」、「側部」、「下」、「上」等の用語がある場合には、説明目的で使用するものであり、必ずしも永久的な相対位置を説明するものではない。このように使用される用語は、本明細書に記載のゴルフクラブ及び製造方法の実施形態が、例えば、本明細書に説明されまたは記載された以外の向きで操作可能であるような適切な状況下において互いに交換可能であることが理解される。本明細書で使用される「連結され」の用語は、物理的、機械的または他の方法で直接的または間接的に接続されることを規定する。
【０００９】
（実施形態の実施例の説明）
段付内側薄肉部を設けたゴルフクラブヘッドの種々の実施形態は、ボディを有するゴルフクラブヘッドを包含する。ボディは、打球面と、ヒール領域と、ヒール領域に対向するトウ領域と、ソールと、クラウンと、打球面から少なくともソールまたはクラウンの一方への内径移行領域とを有する。多くの実施形態では、内径移行領域はゴルフクラブヘッドの外側からは見えず、第１段と、第２段と、第１段及び第２段間の段移行領域とを有する。
【００１０】
段付内側薄肉部を設けたゴルフクラブヘッドの他の実施形態は、ゴルフクラブヘッドとゴルフクラブヘッドに連結されるシャフトとを有するゴルフクラブを包含する。ゴルフクラブヘッドは、打球面と、ヒール領域と、ヒール領域に対向するトウ領域と、ソールと、クラウンと、打球面から少なくともソールまたはクラウンの一方への内径移行領域とを有する。多くの実施形態では、内径移行領域はゴルフクラブヘッドの外側からは見えず、第１段と、第２段と、第１段及び第２段間の段移行領域とを有する。
【００１１】
段付内側薄肉部を設けたゴルフクラブヘッドの他の実施形態は、ゴルフクラブヘッドの製造方法を包含する。この方法は、ボディを準備することを包含する。ボディは、打球面と、ヒール領域と、ヒール領域に対向するトウ領域と、ソールと、クラウンとを有する。この方法は更に、打球面から少なくともソールまたはクラウンの一方への内径移行領域を準備することを包含する。内径移行領域は、ゴルフクラブヘッドの外部から見えず、第１段と、第２段と、第１段及び第２段間の段移行領域とを有する。多くの実施形態では、第１段は第１厚さを有し、第２段は第２厚さを有し、第２厚さは第１厚さよりも薄い。
【００１２】
種々の実施形態は、中空ボディを有するゴルフクラブヘッドを包含する。中空ボディは、打球面と、ヒール領域と、ヒール領域に対向するトウ領域と、ソールと、クラウンとを有する。多くの実施形態では、クラウンは、頂部レールを有する上部領域と、下部領域とを備える。いくつかの実施形態では、キャビティが、頂部レールの下に配置され、クラウンの下部領域の上に配置され、少なくとも一部はクラウンの上部領域と下部領域とで画定される。多くの実施形態では、キャビティは、頂部壁と、後壁と、底部傾斜部と、キャビティの頂部壁及び後壁間で測定されるバックキャビティ角度と、少なくとも１つのチャンネルとを有する。
【００１３】
いくつかの実施形態は、中空ボディのゴルフクラブと、中空ボディのゴルフクラブヘッドに連結されるシャフトとを有するゴルフクラブを備える。中空ボディのゴルフクラブヘッドは、打球面と、ヒール領域と、ヒール領域に対向するトウ領域と、ソールと、クラウンとを有する。多くの実施形態では、クラウンは、頂部レールを有する上部領域と、下部領域とを備える。いくつかの実施形態では、キャビティが、頂部レールの下に配置され、クラウンの下部領域の上に配置され、少なくとも一部はクラウンの上部領域と下部領域とで画定される。多くの実施形態では、キャビティは、頂部壁と、後壁と、底部傾斜部と、キャビティの頂部壁及び後壁間で測定されるバックキャビティ角度と、少なくとも１つのチャンネルとを有する。
【００１４】
他の実施形態は、ゴルフクラブヘッドを製造する方法を包含する。多くの実施形態では、方法は、ボディを準備することを包含する。ボディは、打球面と、ヒール領域と、ヒール領域に対向するトウ領域と、ソールと、クラウンとを有する。クラウンは、頂部レールを有する上部領域と、下部領域とを備える。いくつかの実施形態では、キャビティが、頂部レールの下で、クラウンの下部領域の上に配置され、少なくとも一部がクラウンの上部領域及び下部領域で画定される。多くの実施形態では、キャビティは、頂部壁と、頂部壁に隣接する後壁と、後壁に隣接する底部傾斜部と、キャビティの頂部壁及び後壁間で測定されるバックキャビティ角度と、少なくとも１つのチャンネルとを有する。
【００１５】
他の実施例及び実施形態が、本明細書に更に開示されている。このような実施例及び実施形態は、図面、請求の範囲及び／または本明細書から見出すことができる。
【００１６】
Ｉ．カスケードソールを有するゴルフクラブヘッド
図面に移ると、図１はゴルフクラブヘッド１００の実施形態を示す。ゴルフクラブヘッド１００は、ウッドタイプのゴルフクラブヘッドとすることができる。例えば、ゴルフクラブヘッド１００は、フェアウェイウッドタイプのゴルフクラブヘッド、または、ドライバタイプのゴルフクラブヘッド、または、ハイブリッドタイプのゴルフクラブヘッド、または、アイアンタイプのゴルフクラブヘッドとすることができる。ゴルフクラブヘッド１００は、ボディ１０１を有する。ボディ１０１は、打球面１１２と、ヒール領域１０２と、トウ領域１０４と、ソール１０６と、クラウン１０８とを有する。図１では、ボディ１０１は、更に、ソール１０６とクラウン１０８との間に延びるスカート１１０を有する。いくつかの実施形態では、ボディ１０１は、スカート１１０またはいずれのスカートも有していない。図１８は、実施形態によるゴルフクラブ１８００の前部斜視図を示す。いくつかの実施形態では、ゴルフクラブ１８００は、ゴルフクラブヘッド１００とシャフト１９０とを有する。
【００１７】
いくつかの実施形態では、ボディ１０１は、ステンレス鋼、チタニウム、アルミニウム、合金鋼（例えば、４５５鋼、４７５鋼、４３１鋼、１７−４ステンレス鋼、マルエージング鋼）、チタン合金（例えば、Ｔｉ７−４、Ｔｉ６−４、Ｔ−９Ｓ）、アルミニウム合金、または、複合材料を有することができる。いくつかの実施形態では、打球面１１２は、ステンレス鋼、チタニウム、アルミニウム、合金鋼（例えば、４５５鋼、４７５鋼、４３１鋼、１７−４ステンレス鋼、マルエージング鋼）、チタン合金（例えば、Ｔｉ７−４、Ｔｉ６−４、Ｔ−９Ｓ）、アルミニウム合金、または、複合材料を有することができる。いくつかの実施形態では、ボディ１０１は、打球面１１２と同じ材料を有することができる。いくつかの実施形態では、ボディ１０１は、打球面１１２と異なる材料を有することができる。
【００１８】
図２は、１つの実施形態による図１の断面線ＩＩ−ＩＩに沿うゴルフクラブヘッド１００の断面を示す。図２は、１つの実施形態による、打球面１１２からソール１０６への内径移行部２１０を示す。内径移行部２１０は、滑らかな移行部を有することができ、または、内径移行部２１０は、少なくとも２つの段若しくは厚さの高さを有するカスケードソールを有することができる。例えば、内径移行部２１０は、２，３，４，５，６または７つの段を有するカスケードソールを備えることができる。いくつかの実施形態では、内径移行部は、打球面１１２のより大きな曲げを提供することができる。いくつかの実施例では、打球面１１２の曲げまたは撓みの増大は、打球面１１２の撓みによりほぼ１％からほぼ３％多くのエネルギを許容することができる。
【００１９】
多くの実施形態では、内径移行部２１０は、ゴルフクラブヘッド１００の外部から見ることができない。図２は、更に、打球面１１２からクラウン１０８への頂部内径移行部２６０を示す。いくつかの実施形態では、頂部内径移行部２６０は、滑らかな移行部を有することができ、一方、他の実施形態では、頂部内径移行部２６０は、少なくとも２つの段部または厚さの高さを有することができる。例えば、頂部内径移行部２６０は、２，３，４，５，６または７つの段または厚さの高さを有することができる。いくつかの実施形態では、ゴルフクラブヘッド１００は、内側ソール厚さ２２０を有することができる。内側ソール厚さ２２０は、内径移行部２１０の最も薄い厚さよりも厚くすることができる。多くの実施形態では、内側ソール厚さ２２０も、隣接する段または内径移行部２１０の最終段よりも厚い。いくつかの実施形態では、内側ソール厚さ２２０は、内径移行部２１０の全体よりも厚くすることができる。
【００２０】
いくつかの実施形態では、内径移行部２１０は、「Ｇｏｌｆ  Ｃｌｕｂ  Ｈｅａｄｓ  ｗｉｔｈ  Ｗｅｉｇｈｔ  Ｒｅｄｉｓｔｒｉｂｕｔｉｏｎ  Ｃｈａｎｎｅｌｓ  ａｎｄ  Ｒｅｌａｔｅｄ  Ｍｅｔｈｏｄｓ」と題する米国特許第８，５７９，７２８号に記載のような、ソール前部分及び／または重量分散チャンネルと同様にすることができ、本特許は参照することにより本明細書に包含される。
【００２１】
いくつかの実施形態では、ゴルフクラブヘッドは、打球面から、クラウン、ヒール、トウ、ソールまたはスカートの少なくとも１つに延びるカスケード移行領域、段付移行領域または内径移行部を有することができる。いくつかの実施形態では、ゴルフクラブヘッドは、ゴルフクラブヘッドの周囲の周縁を囲む、例えば打球面から、クラウン、トウ領域、ヒール領域及びソール領域のそれぞれに延びる段付移行領域リングである単一の連続した段付移行領域リングを有してもよい。他の実施形態では、ゴルフクラブヘッドは、クラウン及び／またはソールにのみ段付移行領域を有する。いくつかの実施形態では、ゴルフクラブヘッドは、トウ領域及び／またはヒール領域にのみ段付移行領域を有する。他の実施例では、段付移行領域は、打球面からスカートにのみ配置される。他の実施形態では、ゴルフクラブヘッドは、打球面からクラウンのトウ領域、クランのヒール領域、ソールのトウ領域及び／またはソールのヒール領域に、分離または個別の段付移行領域を有する。
【００２２】
図３は、図１のゴルフクラブヘッドと同様な他の実施形態によるゴルフクラブヘッド３００の内径移行部３１０の図を、図１の断面線ＩＩ−ＩＩと同様な断面線に沿って示す。図４は、図１のゴルフクラブヘッドと同様な他の実施形態によるゴルフクラブヘッド４００の内径移行部４１０の図を、図１の断面線ＩＩ−ＩＩと同様な断面線に沿って示す。図５は、図１のゴルフクラブヘッドと同様な他の実施形態によるゴルフクラブヘッド５００の内径移行部５１０の図を、図１の断面線ＩＩ−ＩＩと同様な断面線に沿って示す。
【００２３】
図３に示すように、内径移行部３１０は、内径移行部２１０（図２）と同様にすることができ、ゴルフクラブヘッド３００はゴルフクラブヘッド１００（図１及び２）と同様にすることができる。内径移行部３１０は、第１厚さを有する第１段３１５と、第２厚さを有する第２段３１７とを備える。多くの実施形態では、各段の厚さは、実質的に一定である。例えば、第１段３１５の第１厚さは、第１実質的一定厚を有し、第２段３１７の第２厚さは、第２実質的一定厚を有することができる。他の実施形態では、第１段３１５は、第１勾配を有することができ、第１段３１５の第１厚さは、打球面３１２に近接するほど厚く、段移行領域３１６に近接するほど薄い。段移行領域３１６は、第１段３１５の第１勾配よりも急傾斜の段勾配を有することができる。段移行領域３１６は、９０度よりも小さな角度で直線状に傾斜し、第１段３１５から第２段３１７に移行することができる。他の実施形態では、段移行領域３１６は、図５の段移行領域５１６及び５１８に示すように、ほぼ９０度のステップを有することができる。段移行領域５１６（図５）及び５１８（図５）は、段移行領域３１６（図３）、及び、段移行領域４１６（図４）及び４１８（図４）と同様にすることができる。
【００２４】
図４に示すように、いくつかの実施形態では、各段付移行部３１６，４１６，４１８，５１６，５１８は、第１弧状面４２０と第２弧状面４２２とを有することができる。第１弧状面４２０は第１曲率半径を有し、第２弧状面４２２は第２曲率半径を有する。各段付移行部３１６，４１６，４１８，５１６，５１８の第１曲率半径と第２曲率半径は同じにすることができ、または、各段付移行部３１６，４１６，４１８，５１６，５１８の第１曲率半径と第２曲率半径とを相違させることもできる。例えば、第１弧状面４２０の第１曲率半径は、第１弧状面４２０の第２曲率半径と同じにすることができ、第１弧状面４２０の第１曲率半径は、第１弧状面４２０の第２曲率半径よりも小さくすることができ、または、第１弧状面４２０の第１曲率半径は、第１弧状面４２０の第２曲率半径よりも大きくすることができる。更に、例えば、第２弧状面４２２の第１曲率半径は、第２弧状面４２２の第２曲率半径と同じとすることができ、第２弧状面４２２の第１曲率半径は、第２弧状面４２２の第２曲率半径よりも小さくすることができ、または、第２弧状面４２２の第１曲率半径は、第２弧状面４２２の第２曲率半径よりも大きくすることができる。
【００２５】
更に、各段付移行部３１６，４１６，４１８，５１６，５１８は、同じ第１曲率半径または異なる第１曲率半径を有することができ、更に、段付移行部３１６，４１６，４１８，５１６，５１８のそれぞれは、同じ第２曲率半径若しくは異なる第２曲率半径を有することができる。例えば、第１弧状面４２０の第１曲率半径は、第２弧状面４２２の第１曲率半径と同じにすることができ、第１弧状面４２０の第１曲率半径は、第２弧状面４２２の第１曲率半径よりも小さくすることができ、または、第１弧状面４２０の第１曲率半径は、第２弧状面４２２の第１曲率半径よりも大きくすることができる。更に、例えば、第１弧状面４２０の第２曲率半径は、第２弧状面４２２の第２曲率半径と同じにすることができ、第１弧状面４２０の第２曲率半径は、第２弧状面４２２の第２曲率半径よりも小さくすることができ、または、第１弧状面４２０の第２曲率半径は、第２弧状面４２２の第２曲率半径よりも大きくすることができる。
【００２６】
内径移行機能（例えば、内側段移行部３１０、図３）は、ゴルフクラブヘッドの曲げのピークが発生する場所を変更することができる。段付移行領域は、曲げのピークにおいて「塑性ヒンジ」を生成し、ゴルフボールとのインパクトによる変形がより局在化するのを促進することができる。多くの実施形態では、座屈プロセスは、曲げのピーク位置において開始し、ゴルフクラブヘッドは、限界座屈閾値のすぐ下に留まるように最適化される。内側塑性ヒンジは、クラブがクラウン及びソール方向により多く撓むのを可能とする。内側塑性ヒンジは、段付機能を使用することにより、クラウン及びソールの撓む位置及び撓む量を正確に制御することを可能とする。
【００２７】
内径移行部を使用することで、ゴルフクラブヘッドの応力を材料のより多くのボリュームにわたって分配することを可能とし、したがって、局部的なピーク応力を低減する。多くの実施形態では、クラウンからソールへの追加の撓みで、同じ負荷に基づいて面が更に屈曲するのを可能とする。この追加の撓みは、クラブの面により多くの応力及び屈曲を生成し、より多くのばねエネルギを生成することができる。ばねエネルギの増加は、ゴルフボールとのインパクトにより、ゴルフクラブヘッド内に貯えることができる。多くの実施形態では、追加のばねエネルギは、ボールのスピードが増大するのを支援する。いくつかの実施形態では、内径移行部は、ゴルフクラブヘッド内でより全体的な屈曲を形成することが可能であり、これも、ボールのスピードの増大を導くことができる。打球面全体のボールスピードが増大すると、より良好な距離制御が可能である。いくつかの実施形態では、内径移行機能を有するゴルフクラブヘッドは、約４％から約６％のより多くのエネルギを貯蔵することができ、これは、ゴルフボールに戻すことができる。
【００２８】
図３に戻ると、内径移行部３１０は、ゴルフクラブヘッド３００のソールの曲げのピーク３５０が生じる位置を変更することができる。更に、内径移行部３１０は、ゴルフボールからのインパクトにおける曲げプロセスで、クラブヘッド３００のボディがより多く係合することができる。いくつかの実施形態では、第１段３１５と第２段３１７は、打球面３１２とゴルフボールとのインパクトで生成される応力の一部を各段に蓄積するのを可能とする。この構造は、応力が主にソールの最薄肉部に集まるのを防止し、ゴルフクラブヘッド３００の信頼性及び耐久性が増大するのを可能とする。多くの実施形態では、この構造は、内径移行部３１０の打球面端部に対向する塑性ヒンジを生成し、塑性ヒンジ位置で更に変形が局在化するのを促進する。多くの実施形態では、塑性ヒンジは、例えば曲げのピーク３５０である曲げのピークに配置することができる。この構造も、例えばクラウン及び／またはソールにより多くの潜在エネルギを貯蔵するのを許容することができる。いくつかの実施形態では、ボディ３０１は、ソール及びクラウンにおけるクラウンからソールの方向への撓みまたは曲げにおける撓みまたは曲げが約４％から約７％増大するのを経験することができる。ソール及び／またはクラウンにおけるクラウンからソールの方向への追加の撓みは、ゴルフボールによる同じ負荷またはインパクトで、打球面３１２が更に屈曲するのを許容することができる。したがって、この構造は、打球面３１２とのインパクト時にボールに伝達することのできるより多くの応力及び曲げをゴルフクラブヘッド３００の打球面３１２に生成することができる。
【００２９】
いくつかの実施形態では、各段は、段を通じてほぼ一定の厚さを有する。多くの実施形態では、第１段３１５は、第２段３１７よりも厚い。ドライバタイプのゴルフクラブヘッドのいくつかの実施形態では、第１段３１５は、約０．０３０インチ（０．０７６ｃｍ）から約０．０６０インチ（０．１５２ｃｍ）の厚さ、または、約０．０４０インチ（０．１０２ｃｍ）から約０．０５０インチ（０．１２７ｃｍ）の厚さとすることができ、そして、第２段３１７は、約０．０２０インチ（０．０５１ｃｍ）から約０．０５０インチ（０．１２７ｃｍ）の厚さ、または、約０．０３０インチ（０．０７６ｃｍ）から約０．０４０インチ（０．１０２ｃｍ）の厚さとすることができる。フェアウェイウッドタイプのゴルフクラブヘッドのいくつかの実施形態では、第１段３１５は、約０．０３５インチ（０．０８９ｃｍ）から約０．０６５インチ（０．１６５ｃｍ）の厚さ、または、約０．０４５インチ（０．１１４ｃｍ）から約０．０５５インチ（０．１４０ｃｍ）の厚さ、そして、第２段３１７は、約０．０２５インチ（０．０６４ｃｍ）から約０．０５５インチ（０．１４０ｃｍ）の厚さ、または、約０．０３５インチ（０．０８９ｃｍ）から約０．０４５インチ（０．１１４ｃｍ）の厚さとすることができる。ハイブリッドタイプのゴルフクラブヘッドのいくつかの実施形態では、第１段３１５は、約０．０５０インチ（０．１２７ｃｍ）から約０．０８０インチ（０．２０３ｃｍ）の厚さ、または、約０．０６０インチ（０．１５２ｃｍ）から約０．０７０インチ（０．１７８ｃｍ）の厚さ、第２段３１７は、約０．０４０インチ（０．１０２ｃｍ）から約０．０７０インチ（０．１７８ｃｍ）の厚さ、または、約０．０５０インチ（０．１２７ｃｍ）から約０．０６０インチ（０．１５２ｃｍ）の厚さとすることができる。アイアンタイプのゴルフクラブヘッドの多くの実施形態では、第１段３１５は、約０．０５５インチ（０．１４０ｃｍ）から約０．０８５インチ（０．２１６ｃｍ）の厚さ、または、約０．０６０インチ（０．１５２ｃｍ）から約０．０８０インチ（０．２０３ｃｍ）第２段３１７は、約０．０４５インチ（０．１１４ｃｍ）から約０．０７５インチ（０．１９１ｃｍ）の厚さ、または、約０．０５０インチ（０．１２７ｃｍ）から約０．０７０インチ（０．１７８ｃｍ）の厚さとすることができる。
【００３０】
図４に示すような他の実施形態では、内径移行部４１０は、２つより多くの段を有することができる。例えば、内径移行部４１０は、２，３，４，５，６，または、７つの段を有することができる。３段内径移行部４１０は、内径移行部３１０（図３）と同様にでき、第１段４１５と第２段４１７と第３段４１９とを有する。第１段４１５は、図３の第１段３１５と同様にようにすることができ、第２段４１７は第２段３１７と同様にすることができる。多くの実施形態では、曲げのピーク４５０は、内径移行部により多くの段が付加されるほど、打球面４１２から更に後方に生じる。
【００３１】
多くの実施形態では、第２段４１７は第３段４１９よりも厚い。ドライバタイプのゴルフクラブヘッドのいくつかの実施形態では、第３段４１９は、約０．０１０インチから約０．０４０インチ（０．１０２ｃｍ）の厚さ、または、約０．０２０インチ（０．０５１ｃｍ）から約０．０３０インチ（０．０７６ｃｍ）の厚さである。フェアウェイウッドタイプのゴルフクラブヘッドのいくつかの実施形態では、第３段４１９は、約０．０１５インチ（０．０３８ｃｍ）から約０．０４５インチ（０．１１４ｃｍ）の厚さ、または、約０．０２５インチ（０．０６４ｃｍ）から約０．０３５インチ（０．０８９ｃｍ）の厚さである。ハイブリッドタイプのゴルフクラブヘッドのいくつかの実施形態では、第３段４１９は、約０．０３０インチ（０．０７６ｃｍ）から約０．０６０インチ（０．１５２ｃｍ）の厚さ、または、約０．０４０インチ（０．１０２ｃｍ）から約０．０５０インチ（０．１２７ｃｍ）の厚さである。アイアンタイプのクラブヘッドのいくつかの実施形態では、第３段４１９は、約０．０３０インチ（０．０７６ｃｍ）から約０．０６０インチ（０．１５２ｃｍ）、または約０．０３５インチ（０．０８９ｃｍ）から約０．０５５インチ（０．１４０ｃｍ）の厚さである。
【００３２】
一方、図５を参照すると、ドライバタイプのゴルフクラブヘッドのいくつかの実施形態では、第１段５１５は約０．０４５インチ（０．１１４ｃｍ）の厚さとし、第２段５１７は、約０．０３５インチ（０．０８９ｃｍ）の厚さとし、第３段５１９は、約０．０２５インチ（０．０６４ｃｍ）の厚さとすることができる。フェアウェイウッドタイプゴルフクラブヘッドのいくつかの実施形態では、第１段５１５は、約０．０５１インチ（０．１３０ｃｍ）の厚さとし、第２段５１７は、約０．０３９インチ（０．０９９ｃｍ）の厚さとし、第３段５１９は約０．０３０インチ（０．０７６ｃｍ）の厚さとすることができる。ハイブリッドタイプのゴルフクラブヘッドのいくつかの実施形態では、第１段５１５は、約０．０６７インチ（０．１７０ｃｍ）の厚さとすることができ、第２段５１７は、約０．０５４インチ（０．１３７ｃｍ）の厚さとし、第３段５１９は、約０．０４５インチ（０．１１４ｃｍ）の厚さとすることができる。アイアンタイプのゴルフクラブヘッドのいくつかの実施形態では、第１段５１５は、約０．０６７インチ（０．１７０ｃｍ）の厚さとし、第２段は、約０．０５７インチ（０．１４５ｃｍ）の厚さとし、第３段５１９は、約０．０４２インチ（０．１０７ｃｍ）の厚さとすることができる。
【００３３】
いくつかの実施形態では、図３，図４及び図５の第１段３１５，４１５，５１５は、それぞれ、図３，図４及び図５の第２段３１７，４１７，５１７の第２段長とほぼ等しい第１段長を有することができる。いくつかの実施形態では、図３，図４及び図５の第１段３１５，４１５，５１５の第１段長は、それぞれ、第２段３１７，４１７，５１７の第２段長よりも長い。他の実施形態では、図４及び図５の第２段４１７，５１７の第２段長は、それぞれ、図４及び図５の第３段４１９，５１９の第３段長のそれぞれとほぼ等しくすることができる。いくつかの実施形態では、図４及び図５の第２段４１７，５１７の第２段長は、それぞれ、図４及び図５の第３段４１９，５１９の第３段長よりもそれぞれ長くすることができる。他の実施形態では、図４及び図５の第２段４１７，５１７の第２段長は、それぞれ、図４及び図５の第３段４１９，５１９の第３段長よりもそれぞれ短くすることができる。
【００３４】
図３，図４及び図５を参照すると、フェアウェイウッドタイプのゴルフクラブヘッドまたはドライバタイプのゴルフクラブヘッドまたはハイブリッドタイプのゴルフクラブヘッドのいくつかの実施形態では、第１段３１５，４１５，５１５は、約０．０５インチ（０．１２７ｃｍ）から約０．８０インチ（２．０３ｃｍ）の第１段長を有することができ、第２段３１７，４１７，５１７は、約０．０３インチ（０．０７６ｃｍ）から約０．６０インチ（１．５２ｃｍ）の第２段長さを有することができ、第３段４１９，５１９は、約０．０４インチ（０．１０２ｃｍ）から約０．７０インチ（１．７８ｃｍ）の第３段長を有することができる。アイアンタイプのゴルフクラブヘッドのいくつかの実施形態では、第１段３１５，４１５，５１５は、約０．０３インチ（０．０７６ｃｍ）から約０．３０インチ（０．７６２ｃｍ）の第１段長さを有することができ、第２段３１７，４１７，５１７は、約０．０４インチ（０．１０２ｃｍ）から約０．４０インチ（１．０２ｃｍ）の第２段長さを有することができ、第３段４１９，５１９は、約０．０５インチ（０．１２７ｃｍ）から約０．５０インチ（１．２７ｃｍ）の第３段長さを有することができる。
【００３５】
図３，図４及び図５に示すように、いくつかの実施形態では、段付移行部３１６，４１６，５１６の第１，第２弧状面は、第１段３１５，４１５，５１５及び第２段３１７，４１７，５１７のそれぞれの第１厚さＴ１及び第２厚さＴ２間の差よりも少なくとも２倍大きな第１，第２曲率半径を有することができる。１つの実施形態では段付移行部３１６，４１６，５１６の第１，第２弧状面は、第１段３１５，４１５，５１５及び第２段３１７，４１７，５１７のそれぞれの第１厚さＴ１及び第２厚さＴ２間の差よりも約６．５倍大きな第１，第２曲率半径を有する。図４及び図５に示すように、いくつかの実施形態では、段付移行部４１８，５１８の第１，第２弧状面は、第２段４１７，５１７及び第３段４１９，５１９それぞれの第２厚さＴ２及び第３厚さＴ３の差よりも少なくとも２倍大きな第１，第２曲率半径を有することができる。１つの実施形態では、段付移行部４１８，５１８の第１，第２弧状面は、第２段４１７，５１７及び第３段４１９，５１９のそれぞれの第２厚さＴ２及び第３厚さＴ３間の差よりも約６．５倍大きな第１，第２曲率半径を有する。
【００３６】
図３に示すように、ゴルフクラブヘッド３００等のいくつかの実施形態は、ゴルフクラブヘッド３００の重心を下げる重りパッド３３０を有する。重りパッド３３０は、隣接段の最終段厚さ３２１よりも大きい重りパッド厚さ３３１を有する。この実施例では、隣接段は、第２段３１７である。重りパッド３３０を有する多くの実施形態では、内側ソール厚さ３２０は、最終段厚さ３２１とほぼ等しくすることができる。いくつかの実施形態では、内側ソール厚さ３２０は、最終段厚さ３２１よりも厚くすることができる。いくつかの実施形態では、内側ソール厚さ３２０は、最終段厚さ３２１よりも薄い。
【００３７】
図４に示すように、ゴルフクラブヘッド４００等のいくつかの実施形態は、リブ４４０を有する。リブ４４０は、ボディ４０１に対して内側で、打球面に対してほぼ平行に配置することができる。多くの実施形態では、リブ４４０は突条またはバーとすることができる。いくつかの実施形態では、リブ４４０は、第３段厚４２１、隣接段の厚さ、または、内径移行部４１０の最終段の厚さよりも厚いリブ厚４４１を有することができる。リブ４４０の目的は、ゴルフクラブヘッド４００のソールを補強することであり、したがって、ソールの曲げのピークは、段移行領域４１６及び／または段移行領域４１８で生じる。
【００３８】
図６に移ると、いくつかの実施形態では、ゴルフクラブヘッド６００は、クラウン６０８においてクラウン内径移行部６６０を有することができる。クラウン内径移行部６６０は、クラウン内径移行部６６０が、ソール移行部に対する打球面の代わりにクラウン移行部に対する打球面に配置されることを除いて、図３の内径移行部３１０と同様にすることができる。多くの実施形態では、第１段６１５は、それぞれ図３，図４及び図５の第１段３１５，４１５及び／または５１５と同様にすることができ、第２段６１７は、それぞれ図３，図４及び図５の第２段３１７，４１７及び／または５１７と同様にすることができ、第３段６１９は、それぞれ図４及び５の第３段４１９及び／または５１９と同様にすることができ、段移行領域６１６及び／または６１８は、図３，図４及び図５の段移行領域３１６，４１６，５１６，４１８及び／または５１８と同様にすることができる。同様に、クラウン内径移行部６６０は、複数の内径移行部を有し、２より多くの段を形成することができる。例えば、クラウン内径移行部６６０は、２，３，４，５，６または７つの段を有することができる。
【００３９】
図７では、ゴルフクラブヘッド７００は、図７に示すように、スカート内径移行部７８０を有することができる。図７は、他の実施形態による、図１の断面線ＶＩＩ−ＶＩＩと同様な断面線に沿う、ゴルフクラブヘッド１００（図１）と同様なゴルフクラブ７００の断面図を示す。スカート内径移行部７８０は、内径移行部２１０（図２）と同様にすることができ、第１段７１５は、それぞれ図３，図４及び図５の第１段３１５，４１５及び／または５１５と同様にすることができ、第２段７１７は、図３，図４及び図５の第２段３１７，４１７及び／または５１７と同様にすることができ、第３段７１９は、それぞれ図４及び図５の第３段４１９及び／または５１９と同様にすることができ、段移行領域７１６及び／または７１８は、図３，４及び５の段移行領域３１６，４１６，５１６，４１８及び／または５１８と同様にすることができる。同様に、スカート内径移行部７８０は、２つより多くの段を有することができる。例えば、スカート内径移行部７８０は、２，３，４，５，６または７つの段を有することができる。図７に示すように、ゴルフクラブヘッド７００は、打球面７１２の他側部にもスカート内径移行部を有することができる。他の実施形態では、ゴルフクラブヘッド７００は、打球面７１２の片側にスカート内径移行部を有することができる。
【００４０】
図８は、実施形態によるゴルフクラブヘッド４００（図４）と同様なゴルフクラブヘッド８００の一部の図、及び、標準のゴルフクラブヘッド８５０の同じ区域の図を示す。標準のゴルフクラブヘッド８５０は、打球面８５２からソール８５６まで均一なソール厚さ８５５と、均一なソール厚さ８５５よりも厚い内側ソール重り８７０と、を有する。ゴルフクラブヘッド８００は、内径移行部４１０（図４）と同様な内径移行部８１０を有する。内径移行部８１０は、第１段４１５（図４）と同様な第１段８１５と、第２段４１７（図４）と同様な第２段８１７と、第３段４１９（図４）と同様な第３段８１９と、を有することができる。内径移行部８１０は、更に、段移行領域４１６（図４）及び４１８（図４）と同様な段移行領域８１６，８１８と、内側ソール重り８７０と同様な内側ソール重り８２０とを有することができる。多くの実施形態では、第１段８１５、第２段８１７または第３段８１９の少なくとも１つは、均一なソール厚さ８５５よりも薄くすることができる。段の厚さは、クラブヘッドに後に再配分可能な重りを省くことができる。
【００４１】
内径移行領域８１０を有するソール８０６のより大きな区域にわたって、カスケードソールの無いソール８５６よりも、高応力がより分散される。多くの実施形態では、均一ソール厚さ８５５と同様なソールの全体的な湾曲は、特定領域におけるゴルフボールからのインパクト力のより大きな特定の集中を吸収することができるが、より大きな区域にわたって力を分散するものではない。内径移行部８１０等のカスケード構造（または、内径移行部に沿って厚さが変化する段）は、しかしながら、波状または段構造が、特定厚さの１つの内径領域から次に、より大きな応力を伝達するため、より大きな区域にわたってゴルフボールからのインパクト力を「パッケージ」にする技術を提供する。多くの実施形態では、内径移行部８１０またはカスケード薄肉ソールにわたる応力のブリーディング、オーバーフローまたは貯留が存在する。より大きな応力のより大きな分散は、打球面に対するより大きなリコイル力を形成する。内径移行部８１０に応力を貯留することも、応力の全てが最も薄い段で直接集まるのを防止することができる。多くの実施形態では、段付機能は、ソールに沿って応力が分散し、１つの大きな応力集中が発生するのを阻止するのを支援することができる。代わりに、応力のより均等な分配に対して多数の応力集中がある。応力は、カスケードソールに沿って延設され、ソールがより多くの応力が作用（または、吸収）するのを許可する。しかしながら、応力は、カスケードソールの無いソールの最も厚い部分で減少し、最大レベルの応力を経験し、そして、より小さな跳ね返り力を打球面に作用させる。
【００４２】
カスケードソールを有するゴルフクラブヘッド（例えば、１００，３００，４００，５００，６００または７００）の実施形態を、カスケードソールを持っていない同様な対照クラブヘッドと比較して試験した。カスケードソールを有するクラブヘッドは、対照クラブヘッドに比較して、約０．５〜１．５マイル／時（ｍｐｈ）（０．８〜２．４キロメートル／時（ｋｐｈ））、または、約０．５〜０．９％のボール速度の増加を示した。中心でのインパクトに対するボール速度の増加は、約０．５〜１．０ｍｐｈ（０．８〜１．６ｋｐｈ）、中心をずれたインパクトに対するボール速度の増加は、約１〜１．５ｍｐｈ（１．６〜２．４ｋｐｈ）であった。カスケードソールを有するクラブヘッドは、更に、対照クラブヘッドに比較して、約０．１〜０．３度の打出し角度の増加、約２７５〜３１５回転／分（ｒｐｍ）のスピンの減少、及び、約３〜６ヤード（２．７〜５．５メートル）のキャリー距離の増加を示した。
【００４３】
いくつかの実施形態では、ドライバタイプ、ハイブリッドタイプまたはウッドタイプのカスケードソール（例えば、１００，３００，４００，５００，６００、または、７００）を有するゴルフクラブヘッドは、更に、第１クラウン厚さ（図示しない）と第２クラウン厚さ（図示しない）とを有してもよい。第１クラウン厚さは、打球面の背部のクラウンまたはクラウン内径移行部に位置してもよい。第２クラウン厚さは、第１クラウン厚さの背部でクラブヘッドの後部に向けてクラウン上に位置してもよい。第１クラウン厚さは、第２クラウン厚さよりも厚い。更に、第１クラウン厚さは、第２クラウン厚さに向けて、任意の外形にしたがって次第に移行してもよく、または、第１クラウン厚さは、例えば階段のように、第２クラウン厚さに急激に移行してもよい。
【００４４】
第１クラウン厚さは、クラブヘッドの前端におけるクラウンのどの部分を有してもよい。例えば、第１クラウン厚さは、クラブヘッドの前端におけるクラウンの５％，１０％，１５％，２０％，２５％，３０％，３５％，４０％，４５％，５０％、または、任意の部分を有してもよい。第２クラウン厚さは、クラブヘッドの後部におけるクラウンの任意の部分を有してもよい。例えば、第２クラウン厚さは、クラブヘッドの後部における４０％，４５％，５０％，５５％，６０％，６５％，７０％，７５％，８０％または任意の部分を有してもよい。
【００４５】
クラウン厚さは、クラブヘッドのクラウンの任意の部分における第１クラウン厚さと第２クラウン厚さの間で移行してもよく、クラウン厚さ移行部を画定する。クラウン厚さ移行部は任意の形状でよい。例示的な実施形態では、クラウン厚さ移行部は、米国特許第７，８９２，１１１号のベル状と同様なベル状曲線を画定し、この米国特許は参照することにより本明細書に包含される。第１クラウン厚さは、打球面とベル状曲線との間でクラウン上に配置され、第２クラウン厚さは、ベル状曲線とクラブヘッドの後部との間に配置される。
【００４６】
例示的な実施形態では、ゴルフクラブヘッドがフェアウェイウッドタイプのゴルフクラブヘッドの場合は、第１クラウン厚さは約０．０２２インチ（０．０５６ｃｍ）であり、第２クラウン厚さは約０．０１９インチ（０．０４８ｃｍ）である。更に、例示的な実施形態では、ゴルフクラブヘッドがハイブリッドタイプのゴルフクラブヘッドの場合は、第１クラウン厚さは約０．０２４インチ（０．０６１ｃｍ）であり、第２クラウン厚さは約０．０１９インチ（０．０４８ｃｍ）である。
【００４７】
フェアウェイウッドタイプまたはハイブリッドタイプのゴルフクラブヘッドの他の実施形態では、第１クラウン厚さは、約０．０２９（０．０７４），０．０２８（０．０７１），０．０２７（０．０６９），０．０２６（０．０６６），０．０２５（０．０６４），０．０２４（０．０６１），０．０２３（０．０５８），０．０２２（０．０５６），０．０２１（０．０５３），０．０２０（０．０５１），０．０１９（０．０４８），０．０１８（０．０４６）、または、０．０１７（０．０４３）インチ（ｃｍ）より薄く、第２クラウン厚さは、約０．０２４（０．０６１），０．０２３（０．０５８），０．０２２（０．０５６），０．０２１（０．０５３），０．０２０（０．０５１），０．０１９（０．０４８），０．０１８（０．０４６），０．０１７（０．０４３），０．０１６（０．０４１），０．０１５（０．０３８），０．０１４（０．０３６），０．０１３（０．０３３）、または、０．０１２（０．０３１）インチ（ｃｍ）より薄くてもよい。
【００４８】
クラウン内径移行部は、クラブヘッドのクラウンの応力を消散及び／または低減し、これにより、第１，第２クラウン厚さが先のデザインに比して減少する。例示的な実施形態では、先のデザインに比して、第１クラウン厚さは約１７．２〜２４．１％減少し、第２クラウン厚さは約２０．８％減少する。第１，第２クラウン厚さの減少は、先のデザインに比して、クラブヘッドの重心の低下（ソールにより近く配置される）を可能とする。クラブヘッドの重心の低下は、ボールのギアリング及びスピンを減少することにより、クラブヘッドの性能特性を改善する。
【００４９】
図９に移動すると、段付内側薄肉部を設けたゴルフクラブヘッドの種々の実施形態は、ゴルフクラブヘッドの製造方法９００を包含する。方法９００は、ボディを準備すること（ブロック９１０）を包含する。ボディは、打球面と、ヒール領域と、ヒール領域に対向するトウ領域と、ソールと、クラウンとを有する。いくつかの実施形態では、ボディは更に、クラウンからソールに延びるスカートを有する。方法９００は、更に、打球面から、ソール、クラウンまたはスカートの少なくとも１つに内径移行部を設けること（ブロック９２０）を包含する。方法９００は、更に、内径移行部の第１段を設けること（ブロック９３０）、内径移行部の第２段を設けること（ブロック９４０）、及び、内径移行領域の第１段と第２段との間に段移行領域を設けること（ブロック９５０）を包含する。いくつかの実施形態では、ブロック９１０，９２０，９３０，９４０及び９５０は、クラブヘッドのボディの鋳込みによる等で、互いに同時に実行することができる。他の実施形態では、ブロック９２０，９３０，９４０及び／または９５０の１つまたは複数は、実施例として、機械加工工程を通してブロック９１０の後で実行することができる。
【００５０】
ＩＩ．バックキャビティを有するゴルフクラブヘッド
１つの実施形態では、ゴルフクラブヘッドは、ゴルフクラブの上部クラウン区域に配置されたバックキャビティを有する。多くの実施形態では、バックキャビティは、ゴルフボールを打球したときにボックススプリング効果を提供することができる。バックキャビティは、クラブヘッドのソールの内径の厚さの変化（カスケードソール）と組合わせ、ばね状効果を提供することができる。
【００５１】
いくつかの実施形態は、より「アイアン状」の外観と感覚とを提供する中空構造のクラブヘッドが特徴のクラブヘッド（中空デザインを有するハイブリッドまたはフェアウェイウッドまたはアイアン）に向けている。いくつかの実施形態では、ゴルフクラブヘッドは、平坦な打球面とアイアン状の外形を特徴とすることができ、これは、アイアンと同様な改善された加工性と正確性とを提供することができる。クラブヘッドの頂部レールの下方に配置され、下部クラウンに沿うバックキャビティは、中空構造を有するハイブリッド、フェアウェイウッド及びアイアン用としてデザインされている。バックキャビティは、ヒールからトウまで、クラブヘッドの頂部レールの直下で上部クラウンまたは後部に沿う全チャンネルでもよい。頂部レール及びキャビティは、任意のデザインでよい。いくつかの実施形態では、キャビティは、約９０度の角度を有し、ゴルフクラブヘッドのクラウン領域に目標とするヒンジポイントを提供する。このヒンジまたは座屈領域は、頂部レールが広い体積区域にわたってより大きなインパクト力を吸収し、キャビティ及び頂部レールを、その当初の配置に戻るときに、打球面に戻るより大きなリコイル力により、スプリングボードとして作用させ、これにより、より大きな力をボールに付与するのを可能とする。このキャビティデザインによる大きなクラブ面の撓みは、スピンを減少し、インパクト時のゴルフボールのロフト角を高くし、更に、標準のゴルフクラブヘッドよりも、同じクラブスピードでボールスピードを早くすることができる。
【００５２】
標準のハイブリッドクラブヘッドでは、頂部レール及び上部クラウン領域はこのデザインのキャビティを有しない。本開示との比較では、そのような標準のハイブリッドクラブヘッドにおける打球面の曲げまたは撓みは少ない。標準のハイブリッドは、キャビティを有しないことにより、クラブの頂部レールに伝達されるエネルギが少ないため、大きなスプリングバック効果を得ることはできない。開示したバックキャビティを有するゴルフクラブヘッドは、ゴルフボールのより大きなインパクト力を吸収し、この後、打球面に戻すのを可能とする。多くの実施形態では、キャビティの角度は、打球面が標準のゴルフクラブよりも大きく撓むための座屈ポイント、または、塑性ヒンジ、または、目標ヒンジを提供することができる。
【００５３】
打球面におけるキャビティのリコイル効果は、（１）打球面に対するヒンジ領域からボールに伝達されるスプリング効果にある程度起因する、上部クラウンキャビティ（または、バックキャビティ）を有するクラブヘッドと無いものとの同じクラブヘッドスピードに対するより高速のゴルフボール速度、（２）キャビティの上部のヒンジポイントがクラブで吸収されるより大きな力に反作用し、代わりに、より大きな力をボールに伝達し、これにより、ボールが打球面から後方にスピンするのを阻止されることにある程度起因する、クラブとのインパクトの後のゴルフボールの少ないスピン、（３）ヒンジ及び打球面がボールに対してダイビングボードまたはカタパルトとして作用することに起因する、インパクト時にゴルフボールに対するより大きなロフト角を提供する。いくつかの実施形態では、キャビティは、ボール速度を約１．０〜１．２％増大し、打出し角度を約０．４〜０．７度増大し得る。
【００５４】
図に移動すると、図１０は、ゴルフクラブヘッド１０００の実施形態の後部トウ側斜視図を示し、図１１は、図１０の実施形態によるゴルフクラブヘッド１０００の後部ヒール側斜視図を示す。ゴルフクラブヘッド１０００は、ハイブリッドタイプのゴルフクラブヘッドとすることができる。他の実施形態では、ゴルフクラブヘッド１０００は、アイアンタイプのゴルフクラブヘッドまたはフェアウェイウッドタイプのゴルフクラブヘッドとすることができる。多くの実施形態では、ゴルフクラブヘッド１０００は、バッジまたは個別調製ポートを有してない。
【００５５】
ゴルフクラブヘッド１０００は、ボディ１００１を有する。多くの実施形態では、ボディは中空である。いくつかの実施形態では、ボディは少なくとも一部が中空である。ボディ１００１は、打球面１０１２と、ヒール領域１００２と、ヒール領域１００２に対向するトウ領域１００４と、ソール１００６と、クラウン１００８と、を有する。クラウン１００８は、上部領域１０１１と下部領域１０１３とを有する。上部領域１０１１は、頂部レール１０１５を有する。いくつかの実施形態では、頂部レール１０１５は、平坦で、より高い頂部レールまたはスカートとすることができる。平坦かつより高い頂部レールが、打球面１０１２上のミスヒットに対してティーからのプレイ性を増大する理由を説明する。
【００５６】
いくつかの実施形態では、ボディ１００１は、ステンレス鋼、チタニウム、アルミニウム、合金鋼（例えば、４５５鋼、４７５鋼、４３１鋼、１７−４ステンレス鋼、マルエージング鋼）、チタン合金（例えば、Ｔｉ７−４、Ｔｉ６−４、Ｔ−９Ｓ）、アルミニウム合金、または、複合材料を有することができる。いくつかの実施形態では、打球面１０１２は、ステンレス鋼、チタニウム、アルミニウム、合金鋼（例えば、４５５鋼、４７５鋼、４３１鋼、１７−４ステンレス鋼、マルエージング鋼）、チタン合金（例えば、Ｔｉ７−４、Ｔｉ６−４、Ｔ−９Ｓ）、アルミニウム合金、または、複合材料を有することができる。いくつかの実施形態では、ボディ１００１は、打球面１０１２と同じ材料を有することができる。いくつかの実施形態では、ボディ１００１は、打球面１０１２と異なる材料を有することができる。
【００５７】
多くの実施形態では、キャビティ１０３０は、頂部レール１０１５の下側に配置される。多くの実施形態では、キャビティ１０３０は、頂部ボックススプリングデザインを有する。多くの実施形態では、頂部レール１０１５及びキャビティ１０３０は、打球面１０１２の全体の曲げの増大を提供する。いくつかの実施形態では、打球面１０１２の曲げは、約２％から約５％のエネルギの増加を許容可能である。キャビティ１０３０は、打球面１０１２をより薄くするのを可能とし、付加的な全体曲げを可能とする。いくつかのフェアウェイウッドタイプのゴルフクラブヘッドの実施形態について、キャビティ１０３０は、ソール１００６に向けてより厚くしたクラウン１００８の逆スクープまたはへこみとすることができる。
【００５８】
図１０を参照すると、いくつかの実施形態では、ゴルフクラブヘッド１０００は、更に、クラウン１００８の下部領域１０１３にトウ領域１００４の近くにインサート１０６２を有することができる。いくつかの実施形態は、ソール１００６に内部重りを有する。多くの実施形態では、インサート１０６２は、タングステンまたは他の高密度材料を包含してもよい。多くの実施形態では、インサートは、重心（ＣＧ）を打球面１０１２から後方に約０．０４インチ（１ｍｍ）〜０．１０インチ（２．５ｍｍ）移動し、打出し角度を３．５％〜５．５％増加し、これは、ティーからの高いまたは低いミスヒットのプレイ性を増大することができる。
【００５９】
多くの実施形態では、ＣＧは、クラウン１００８の下部領域１０１３で、トウ領域１００４とソール１００６との交差部の近くにある。いくつかの実施形態では、ゴルフクラブヘッド１０００のＣＧは、ＣＧｙ平面に沿って０．５９７インチでＣＧｚ平面に沿って０．５４１インチにある。慣性モーメントＩｘｘについて、ゴルフクラブヘッド１０００により、Ｇ３０アイアンよりも２０．５％増加し、Ｒａｐｔｕｒｅ  ＤＩよりも２８％増加した。Ｉｙｙについて、Ｇ３０アイアンよりも１．７％増加し、Ｒａｐｔｕｒｅ  ＤＩよりも２２％増加した。
【００６０】
いくつかの実施形態では、約３グラム（ｇ）から約４ｇが、頂部レール１０１５に付加される。ほとんどの実施形態では、ゴルフクラブヘッド１０００の全質量は同じままである。いくつかの実施形態では、ソール１００６またはトウ領域１００４から質量を除去し、頂部レール１０１５への質量の付加を相殺することができる。いくつかの実施形態では、約３ｇから約４ｇの質量を頂部レール１０１５に付加することで、回転に抵抗するゴルフクラブヘッドを支援することができる。いくつかの実施形態では、ゴルフクラブヘッドのＣＧは僅かに上昇する。
【００６１】
図１２は、１つの実施形態による図１０の断面線ＸＩＩ−ＸＩＩに沿うゴルフクラブヘッド１０００の断面を示す。図１２に示すように、打球面１０１２は、高領域１０７６、中領域１０７４及び低領域１０７２を有する。多くの実施形態では、クラウン１００８の上部領域１０１１は、後壁１０２３と、後壁１０２３の下側でかつ隣接するキャビティ１０３０の頂壁１０１７と、頂壁１０１７の下側でかつ隣接するキャビティ１０３０の後壁１０１９とを有する。
【００６２】
いくつかの実施形態では、クラウン１００８の上部領域１０１１の後壁１０２３の高さ１２８０は、約０．１２５インチ（０．３１８ｃｍ）から約０．７５インチ（１．９１ｃｍ）、または、約０．１５０インチ（０．３８１ｃｍ）から約０．４００インチ（１．０２ｃｍ）にすることができる。例えば、いくつかの実施形態では、クラウン１００８の上部領域１０１１の後壁１０２３の高さ１２８０は、約０．１７５インチ（０．４４５ｃｍ）、０．２７５インチ（０．６９９ｃｍ）、０．３７５インチ（０．９５３ｃｍ）、０．４７５インチ（１．２１ｃｍ）、０．５７５インチ（１．４６ｃｍ）、または、０．６７５インチ（１．７１ｃｍ）にすることができる。いくつかの実施形態では、クラウン１００８の上部領域１０１１の後壁１０２３の高さ１２８０は、ゴルフクラブヘッド１０００の高さの約５％から約２５％とすることができる。いくつかの実施形態では、頂部レール１０１５の長さは、ヒール領域１００２からトウ領域１００４まで測定して、ゴルフクラブヘッド１０００の長さの約７０％から約９５％とすることができる。
【００６３】
クラウン１００８の上部領域１０１１の後壁１０２３の高さ１２８０は、本明細書に記載のように、ゴルフボールとのインパクトの際の打球面１０１２の応力の少なくとも一部をキャビティ１０３０で吸収することを可能とする。本明細書に記載の後壁高さ１２８０よりも高さの高い後壁を有するゴルフクラブヘッドは、キャビティに達する前の頂部レールに沿うインパクトの分散が増大するため、本明細書に記載のゴルフクラブヘッド１０００よりもインパクト時の応力吸収が少ない（そして、打球面の撓みを少なくできる）。
【００６４】
いくつかの実施形態では、キャビティ１０３０は、クラウン１００８の下部領域１０１３の上側に配置され、クラウン１００８の上部領域１０１１と下部領域１０１３とで少なくとも一部が画定される。キャビティ１０３０は、頂壁１０１７と後壁１０１９と底部傾斜部１０２１とを有する。第１屈曲ポイント１０８２が、キャビティ１０３０の頂壁１０１７とキャビティの後壁１０１９との間に配置される。第２屈曲ポイント１０８６は、キャビティの１０３０の後壁１０１９と底部傾斜部１０２１との間に配置される。
【００６５】
いくつかの実施形態では、後壁１０１９の高さは、第１屈曲ポイント１０８２から第２屈曲ポイント１０８６まで測定して、約０．０１０インチ（０．２５ｍｍ）から約０．１３８インチ（３．５ｍｍ）、または、約０．０１０インチ（０．２５ｍｍ）から約０．０５９インチ（１．５ｍｍ）とすることができる。例えば、後壁１０１９の高さは、約０．０１インチ（０．２５ｍｍ）、０．０２インチ（０．５ｍｍ）、０．０３インチ（０．７５ｍｍ）、０．０４インチ（１．０ｍｍ）、０．０５インチ（１．２５ｍｍ）、０．０６インチ（１．５ｍｍ）、０．０７インチ（１．７５ｍｍ）、０．０８インチ（２．０ｍｍ）、０．０９インチ（２．２５ｍｍ）、０．１０インチ（２．５ｍｍ）、０．１１インチ（２．７５ｍｍ）、０．０１２インチ（３．０ｍｍ）、０．１３インチ（３．２５ｍｍ）、または、０．１４インチ（３．５ｍｍ）とすることができる。多くの実施形態では、頂壁１０１７の頂点は、頂部レール１０１５の頂点の下側、約０．１２５インチ（０．３１８ｃｍ）から約１．２５インチ（３．１８ｃｍ）、または、約０．２５インチ（０．６３５ｃｍ）から約１．２５インチ（３．１８ｃｍ）とすることができる。例えば、頂壁１０１７の頂点は、頂部レール１０１５の下側、約０．１２５インチ（０．３１８ｃｍ）、０．２５インチ（０．６３５ｃｍ）、０．３７５インチ（０．９５３ｃｍ）、０．５インチ（１．２７ｃｍ）、０．６２５インチ（１．５９ｃｍ）、０．７５インチ（１．９１ｃｍ）、０．８２５インチ（２．１０ｃｍ）、１．０インチ（２．５４ｃｍ）、１．１２５インチ（２．８８ｃｍ）、または、１．２５インチ（３．１８ｃｍ）とすることができる。
【００６６】
多くの実施形態では、キャビティ１０３０の後壁１０１９は、打球面１０１２に実質的に平行にすることができる。他の実施形態では、後壁１０１９は、打球面１０１２と実施的に平行ではない。多くの実施形態では、キャビティの頂壁１０１７は、第１屈曲ポイント１０８２に向けて移動したときに、打球面１０１２に向けて傾斜する。この頂壁１０１７の配置は、インパクトの応力をキャビティ１０３０に向けて導く座屈ポイントまたはヒンジポイントまたは塑性ヒンジを生成し、インパクト中の打球面１０１２の撓みが増大するのを可能とする。
【００６７】
クラウン１００８の下部領域１０１３は、キャビティ１０３０の底部傾斜部１０２１を有する。多くの実施形態では、第２屈曲ポイント１０８６は、底部傾斜部１０２１に隣接して、頂部レール１０１５の頂点の下側、少なくとも約０．２５インチ（０．６３５ｃｍ）から約２．０インチ（５．０８ｃｍ）、または、約０．５インチ（１．２７ｃｍ）から約１．５インチ（３．８１ｃｍ）とすることができる。例えば、第２屈曲ポイント１０８６は、頂部レール１０１５の頂点の下側、少なくとも約０．２５インチ（０．６３５ｃｍ）、０．５インチ（１．２７ｃｍ）、０．７５インチ（１．９１ｃｍ）、１．０インチ（２．５３ｃｍ）、１．２５インチ（３．１８ｃｍ）、１．５インチ（３．８１ｃｍ）、１．７５インチ（４．４５ｃｍ）または２．０インチ（５．０８ｃｍ）とすることができる。いくつかの実施形態では、底部傾斜部の最大高さは、クラブヘッド１０００のソール１００６から第２屈曲ポイント１０８６まで測定して、ソールの最も下のポイントの上側１００６、少なくとも約０．２５インチ（約０．６３５ｃｍ）から約３インチ（約７．６２ｃｍ）、または、約０．５０インチ（１．２７ｃｍ）から約２インチ（５．０８ｃｍ）とすることができる。例えば、第２屈曲ポイント１０８６は、ソールの最も下のポイントの上側、少なくとも約０．２５インチ（０．６３５ｃｍ）、０．３７５インチ（０．９５３ｃｍ）、０．５インチ（１．２７ｃｍ）、０．６２５インチ（１．５９ｃｍ）、０．７５インチ（１．９１ｃｍ）、０．８２５インチ（２．１０ｃｍ）、１．０インチ（２．５４ｃｍ）、１．１２５インチ（２．８８ｃｍ）、１．２５インチ（３．１８ｃｍ）、１．３７５インチ（３．４９ｃｍ）、１．５インチ（３．８１ｃｍ）、１．６２５インチ（４．１２ｃｍ）、１．７５インチ（４．４５ｃｍ）、１．８７５インチ（４．７６ｃｍ）、２．０インチ（５．０８ｃｍ）、２．１２５インチ（５．４０ｃｍ）、２．２５インチ（５．７１ｃｍ）、２．３７５インチ（６．０３ｃｍ）、２．５インチ（６．３５ｃｍ）、２．６２５インチ（６．６７ｃｍ）、２．７５インチ（７．００ｃｍ）、２．８７５インチ（７．３０ｃｍ）、または、３．０インチ（７．６２ｃｍ）とすることができる。
【００６８】
キャビティ１０３０は、更に、少なくとも１つのチャンネル１０３９（図１０）を有する。多くの実施形態では、チャンネル１０３９は、ヒール領域１００２からトウ領域１００４に延びる。チャンネル幅１０３２（図１２）は、チャンネル１０３９を通して実質的に一定とすることができる。いくつかの実施形態では、チャンネル幅１０３２（図１２）は、約０．００８インチ（０．２ｍｍ）から約１インチ（２５ｍｍ）、または約０．００８インチ（０．２ｍｍ）から約０．３１インチ（８ｍｍ）とすることができる。例えば、チャンネル幅１０３２は、約０．００８インチ（０．２ｍｍ）、０．０１６インチ（０．４ｍｍ）、０．０２４インチ（０．６ｍｍ）、０．０３１インチ（０．８ｍｍ）、０．０３９インチ（１．０ｍｍ）、０．０７９インチ（２ｍｍ）、０．１２インチ（３ｍｍ）、０．１６インチ（４ｍｍ）、０．２０インチ（５ｍｍ）、０．２４インチ（６ｍｍ）、０．２８インチ（７ｍｍ）、０．３１インチ（８ｍｍ）、０．３９インチ（１０ｍｍ）、０．５９インチ（１５ｍｍ）、０．７９インチ（２０ｍｍ）、または、０．９８インチ（２５ｍｍ）である。他の実施形態では、チャンネル１０３９のチャンネルトウ領域幅は、チャンネルのチャンネルヒール領域よりも小さい。他の実施形態では、チャンネルヒール領域幅は、チャンネルトウ領域幅よりも小さい。他の実施形態では、チャンネル１０３９のチャンネル中央領域幅は、チャンネルヒール領域幅またはチャンネルトウ領域幅の少なくとも一方よりも小さくすることができる。他の実施形態では、チャンネル中央領域幅は、チャンネルヒール領域幅またはチャンネルトウ領域幅の少なくとも一方よりも小さくすることができる。いくつかの実施形態では、チャンネル１０３９は対称である。他の実施形態では、チャンネル１０３９は非対称である。他の実施形態では、チャンネル１０３９は更に、少なくとも２つの部分的チャンネルを有することができる。いくつかの実施形態では、チャンネル１０３９は、１つまたは複数のブリッジで遮断された一連の部分的チャンネルを有することができる。いくつかの実施形態では、１つまたは複数のブリッジは、クラウン１００８の上部領域１０１１の厚さとほぼ同じにすることができる。
【００６９】
本明細書に示すように、チャンネル幅１０３２は、インパクト時に打球面１０１２から応力を吸収可能である。本明細書に記載のチャンネル幅よりも狭いチャンネル幅を有するゴルフクラブヘッド（例えば、明瞭でないキャビティを有するゴルフクラブヘッド）は、インパクト時に打球面から吸収できる応力は少なく（クラウン１００８の上部領域１０１１の材料が少ないため）、したがって、本明細書に記載のゴルフクラブヘッド１０００よりも打球面が受ける撓みが少ない。
【００７０】
多くの実施形態では、キャビティ１０３０は、更に、バックキャビティ角度１０３５を有する。バックキャビティ角度は、キャビティ１０３０の頂壁１０１７と後壁１０１９との間で測定される。多くの実施形態では、バックキャビティ角度１０３５は、約７０度から約１１０度とすることができる。いくつかの実施形態では、バックキャビティ角度１０３５は、約８０度から約１００度とすることができる。いくつかの実施形態では、バックキャビティ角度１０３５は、約７０，７５，８０，８５，９０，９５，１００、または、１１０度である。多くの実施形態では、バックキャビティ角度１０３５は、ゴルフクラブヘッド１０００がゴルフボールをインパクトしたときに、頂部レールヒンジポイント１０７０における座屈ポイントまたは塑性ヒンジまたは目標ヒンジを提供する。いくつかの実施形態では、頂部レールヒンジポイント１０７０における壁厚は、キャビティ１０３０の頂壁１０１７におけるよりも薄い。
【００７１】
図１３は、図１２のゴルフクラブヘッド１０００の断面におけるクラウン１００８を、図１０の同様な断面線ＸＩＩ−ＸＩＩ線に沿うキャビティ無しのゴルフクラブヘッド１２００に平行に配置した図を示す。多くの実施形態では、ゴルフクラブヘッド１０００は、後角度１０４０と、頂部レール角度１０４５と、打球面角度１０５０とを有する。上部領域角度１０４０は、上部領域１０１１の頂壁１０１７から後壁１０２３まで測定する。多くの実施形態では、後角度１０４０は、約７０度から約１１０度とすることができる。いくつかの実施形態では、後角度１０４０は、約９０度である。頂部レール角度１０４５は、上部領域１０１１の後壁１０２３から頂部レール１０１５まで測定する。多くの実施形態では、頂部レール角度１０４５は、約３５度から約１２０度、または、７０度から約１１０度とすることができる。いくつかの実施形態では、頂部レール角度１０４５は、約３５，４０，４５，５０，５５，６０，６５，７０，７５，８０，８５，９０，９５，１００，１０５，１１０，１１５、または、１２０度とすることができる。打球面角度１０５０は、打球面１０１２から頂部レール１０１５まで測定する。多くの実施形態では、打球面角度１０５０は、約７０度から約１６０度、または、７０度から約１１０度とすることができる。いくつかの実施形態では、打球面角度１０５０は、約７０，７５，８０，８５，９０，９５，１００，１０５，１１０，１１５，１２０，１２５，１３０，１３５，１４０，１４５，１５０，１５５、または、１６０度である。
【００７２】
図１３を参照すると、いくつかの実施形態では、打球面１０１２と後壁１０１９との間の最小間隙１０９０は、約０．０７９インチ（２ｍｍ）から約０．３９インチ（１０ｍｍ）である。例えば、打球面１０１２と後壁１０１９との間の最小間隙１０９０は、約０．０７９インチ（２ｍｍ）、０．１６インチ（４ｍｍ）、０．２４インチ（６ｍｍ）、０．３１インチ（８ｍｍ）または０．３９インチ（１０ｍｍ）とすることができる。いくつかの実施形態では、打球面１０１２と後壁１０１９との間の最小間隙１０９０は、約０．５５インチ（１４ｍｍ）未満、０．４７インチ（１２ｍｍ）未満、約０．３９インチ（１０ｍｍ）未満、約０．３１インチ（８ｍｍ）未満、約０．２４インチ（６ｍｍ）未満、または、約０．１６インチ（４ｍｍ）未満である。更に、いくつかの実施形態では、ゴルフクラブヘッド１０００の上部領域１０１１の打球面１０１２と後壁１０２３との間の最大間隙は、最小間隙１０９０よりも大きい。更に、いくつかの実施形態では、ゴルフクラブヘッド１０００の下部領域１０１３の打球面１０１２と底部傾斜部１０２１との最大間隙は、上部領域１０１１の最小間隙１０９０及び最大間隙よりも大きい。
【００７３】
図２１は、図１２に示すゴルフクラブヘッド１０００の断面と同様な、ゴルフクラブヘッド１０００の断面図を示す。ゴルフクラブヘッド１０００は、キャビティ１０３０と、上部領域１０１１と、下部領域１０１３とを有する。上部領域１０１１は、上部外側後壁１０２３を有し、キャビティ１０３０は、キャビティ外壁１０２５を有し、下部領域１０１３は、下部外壁１０２７を有する。多くの実施形態では、打球面１０１２から垂直に上部領域１０１１の後壁１０２３まで測定した最大上部距離１０９２は、約０．２０〜０．５９インチ（５〜１５ｍｍ）とすることができる。例えば、最大上部距離１０９２は、約０．２０インチ（５ｍｍ）、０．２４インチ（６ｍｍ）、０．２８インチ（７ｍｍ）、０．３１インチ（８ｍｍ）、０．３５インチ（９ｍｍ）、０．３９インチ（１０ｍｍ）、０．４３インチ（１１ｍｍ）、０．４７インチ（１２ｍｍ）、０．５１インチ（１３ｍｍ）、０．５５インチ（１４ｍｍ）、または、０．５９インチ（１５ｍｍ）である。更に、打球面１０１２から垂直にキャビティ外壁１０２５まで測定した最小キャビティ距離１０９４は、約０．１６〜０．４７インチ（４〜１２ｍｍ）とすることができる。例えば、最小キャビティ距離１０９４は、約０．１６インチ（４ｍｍ）、０．２０インチ（５ｍｍ）、０．２４インチ（６ｍｍ）、０．２８インチ（７ｍｍ）、０．３１インチ（８ｍｍ）、０．３５インチ（９ｍｍ）、０．３９インチ（１０ｍｍ）、０．４３インチ（１１ｍｍ）、または、０．４７インチ（１２ｍｍ）である。更に、打球面１０１２から垂直に下部外壁１０２７まで測定した最大下部距離１０９６は、約０．９８〜１．５７インチ（２５〜４０ｍｍ）とすることができる。例えば、最大下部距離１０９６は、約０．９８インチ（２５ｍｍ）、１．０２インチ（２６ｍｍ）、１．０６インチ（２７ｍｍ）、１．１０インチ（２８ｍｍ）、１．１４インチ（２９ｍｍ）、１．１８インチ（３０ｍｍ）、１．２２インチ（３１ｍｍ）、１．２６インチ（３２ｍｍ）、１．３０インチ（３３ｍｍ）、１．３４インチ（３４ｍｍ）、１．３８インチ（３５ｍｍ）、１．４２インチ（３６ｍｍ）、１．４６インチ（３７ｍｍ）、１．５０インチ（３８ｍｍ）、１．５４インチ（３９ｍｍ）、または、１．５７インチ（４０ｍｍ）である。多くの実施形態では、最大下部距離１０９６は、最大上部距離１０９２よりも大きく、最大上部距離１０９２は、最小キャビティ距離１０９４よりも大きい。
【００７４】
多くの実施形態では、キャビティ１０３０は、ゴルフクラブヘッド１２００または他の標準のゴルフクラブヘッドよりもゴルフボールの速度を増大することができ、標準のハイブリッドクラブヘッドのスピン速度を低下でき、標準のハイブリッド及びアイアンクラブヘッドよりも打出し角度を増大することができる。多くの実施形態では、キャビティ１０３５の形状は、ばねのレベル及びゴルフクラブヘッド１０００の応答タイミングを決定する。ゴルフボールが、キャビティ１０３０を有するクラブヘッド１０００の打球面１０１２をインパクトしたときに、打球面１０１２は、ドラム状にスプリングバックし、クラウン１００８は、制御された潰れ態様で屈曲する。多くの実施形態では、頂部レール１０１５は、キャビティ１０３０を有しないゴルフクラブヘッドの頂部レールよりも、より大きな容積空間にわたってより大きな応力を吸収できる。キャビティ１０３０の長さ、深さ及び幅を変更できる。これらのパラメータは、クラブヘッド１０００の全体のデザインに、どの程度スプリングバックを設けるかについて、コントロールする。
【００７５】
ゴルフボールをインパクトしたときに、打球面１０１２は、キャビティ１０３０の無いゴルフクラブよりもより大きな距離に内方に屈曲することができる。いくつかの実施形態では、打球面１０１２は、キャビティ１０３０の無いゴルフクラブヘッドの打球面よりも、約１０％から約５０％多くの撓みを有する。いくつかの実施形態では、打球面１０１２は、キャビティ１０３５の無いゴルフクラブヘッドの打球面よりも、約５％から約４０％、または、約１０％から約２０％多くの撓みを有する。例えば、打球面１０１２は、キャビティ１０３５の無いゴルフクラブヘッドの打球面よりも、約５％，１０％，１５％，２０％，２５％，３０％，３５％、または、４０％多くの撓みを有することができる。多くの実施形態では、キャビティ無しでクラブのバック部を有しない標準の打球面よりも、ヒンジに起因する打球面１０１２による引込み距離、及び、キャビティ１０３０の曲げの双方がより大きくなる。
【００７６】
多くの実施形態では、ゴルフボールをインパクトしたときの頂部レールヒンジポイント１０７０に沿ってより大きな座屈が生じるため、キャビティ１０３０を有するクラブヘッド１０００で面撓みがより大きい。しかしながら、キャビティ１０３０は、頂部レールの頂部レールヒンジポイント１０７０に沿う大きな応力分散を提供し、スプリングバック力は、キャビティ１０３０及び頂部レール１０１５から打球面１０１２に伝達される。キャビティの無い標準の頂部レールは、このヒンジ／座屈効果を有せず、頂部レールの大きな容積区域にわたる高レベルの応力吸収も無い。したがって、標準の打球面は、打球面１０１２ほど多くの接触及びリコイルが無い。更に、打球面１０１２の大きな領域及び頂部レール１０１５の双方が、標準の頂部レールを有しかつキャビティの無い標準のゴルフクラブヘッドの同じクラウン領域よりも、より大きな応力を吸収する。多くの実施形態では、キャビティ無しの標準のクラブにおける同じ区域よりも、キャビティ１０３０の上により大きな区域に沿ってより大きな応力が存在するが、キャビティを有するクラブヘッドとキャビティの無いクラブヘッドの耐久性は同じである。クラブの後端により大きなスプリングを付加することにより（打球面１０１２に向く頂壁１０１７の内方傾斜により）、構造体の容積全体でより大きな力が移動する。応力は、ゴルフクラブヘッド１０００の打球面１０１２及び頂部レール１０１５のより大きな区域にわたって観察される。ピーク応力は、標準の頂部レールクラブヘッドで見ることができる。しかしながら、より多くのピーク応力がゴルフクラブヘッド１０００に見られるが、材料の大きな容積にわたって分散される。ゴルフクラブヘッド１０００のヒンジ及び曲げ領域（すなわち、キャビティ１０３０の上の領域及びキャビティ１０３０自体）は、応力が限界座屈閾値に達しない限り変形しない。キャビティ１０３０及びその移動は、座屈閾値の臨界Ｋ値より下となるようにデザインすることができる。
【００７７】
図２２〜図３０は、面撓みの増大のためのキャビティ２０３０、３０３０、４０３０、５０３０、６０３０、７０３０、８０３０を有するゴルフクラブヘッド２０００、３０００、４０００、５０００、６０００、７０００、８０００の他の実施形態の様々な例を示す。図２６及び図２７を参照すると、ゴルフクラブヘッド２０００は、打球面２０１２及びボディ２００１を有する。ボディ２００１は、ヒール領域２００２と、ヒール領域２００２に対向するトウ領域２００４と、ソール２００６と、ソール２００６に対向するクラウン２００８と、前端２０１０と、前端２０１０に対向する後端２０１１と、キャビティ２０３０と、を有する。
【００７８】
多くの実施形態では、ゴルフクラブヘッド２０００は、ハイブリッドタイプのゴルフクラブヘッド、フェアウェイウッドタイプのゴルフクラブヘッド、またはドライバタイプのゴルフクラブヘッド等の中空ボディタイプのゴルフクラブヘッドである。いくつかの実施形態では、ゴルフクラブヘッド２０００は、アイアンタイプのクラブヘッドとすることができるか、または上記で説明したクラブヘッド１０００と同様に少なくとも一部を中空にすることができる。
【００７９】
クラブヘッド２０００がドライバタイプのクラブヘッドである実施形態では、クラブヘッド２０００のロフト角は、１６度よりも小さくすることができ、１５度よりも小さくすることができ、１４度よりも小さくすることができ、１３度よりも小さくすることができ、１２度よりも小さくすることができ、１１度よりも小さくすることができ、または、１０度よりも小さくすることができる。更に、多くの実施形態では、クラブヘッド２０００の容積は、４００ｃｃよりも大きくすることができ、４２５ｃｃよりも大きくすることができ、４５０ｃｃよりも大きくすることができ、４７５ｃｃよりも大きくすることができ、５００ｃｃよりも大きくすることができ、５２５ｃｃよりも大きくすることができ、５５０ｃｃよりも大きくすることができ、５７５ｃｃよりも大きくすることができ、６００ｃｃよりも大きくすることができ、６２５ｃｃよりも大きくすることができ、６５０ｃｃよりも大きくすることができ、６７５ｃｃよりも大きくすることができ、または、７００ｃｃよりも大きくすることができる。
【００８０】
クラブヘッド２０００がフェアウェイウッドタイプのクラブヘッドである実施形態では、クラブヘッド２０００のロフト角は、３５度よりも小さくすることができ、３４度よりも小さくすることができ、３３度よりも小さくすることができ、３２度よりも小さくすることができ、３１度よりも小さくすることができ、または、３０度よりも小さくすることができる。更に、クラブヘッド２０００のロフト角は、１２度よりも大きくすることができ、１３度よりも大きくすることができ、１４度よりも大きくすることができ、１５度よりも大きくすることができ、１６度よりも大きくすることができ、１７度よりも大きくすることができ、１８度よりも大きくすることができ、１９度よりも大きくすることができ、または、２０度よりも大きくすることができる。これらの実施形態では、クラブヘッド２０００の容積は、４００ｃｃよりも小さくすることができ、３７５ｃｃよりも小さくすることができ、３５０ｃｃよりも小さくすることができ、３２５ｃｃよりも小さくすることができ、３００ｃｃよりも小さくすることができ、２７５ｃｃよりも小さくすることができ、２５０ｃｃよりも小さくすることができ、２２５ｃｃよりも小さくすることができ、または、２００ｃｃよりも小さくすることができる。更に、これらの実施形態では、クラブヘッドの容積は、３００ｃｃ〜４００ｃｃ、３２５ｃｃ〜４００ｃｃ、３５０ｃｃ〜４００ｃｃ、２５０ｃｃ〜４００ｃｃ、２５０〜３５０ｃｃ、または、２７５〜３７５ｃｃとすることができる。
【００８１】
クラブヘッド２０００がハイブリッドタイプのクラブヘッドである実施形態では、クラブヘッド２０００のロフト角は、４０度よりも小さくすることができ、３９度よりも小さくすることができ、３８度よりも小さくすることができ、３７度よりも小さくすることができ、３６度よりも小さくすることができ、３５度よりも小さくすることができ、３４度よりも小さくすることができ、３３度よりも小さくすることができ、３２度よりも小さくすることができ、３１度よりも小さくすることができ、または、３０度よりも小さくすることができる。更に、クラブヘッド２０００のロフト角は、１６度よりも大きくすることができ、１７度よりも大きくすることができ、１８度よりも大きくすることができ、１９度よりも大きくすることができ、２０度よりも大きくすることができ、２１度よりも大きくすることができ、２２度よりも大きくすることができ、２３度よりも大きくすることができ、２４度よりも大きくすることができ、または、２５度よりも大きくすることができる。これらの実施形態では、クラブヘッド２０００の容積は、２００ｃｃよりも小さくすることができ、１７５ｃｃよりも小さくすることができ、１５０ｃｃよりも小さくすることができ、１２５ｃｃよりも小さくすることができ、１００ｃｃよりも小さくすることができ、または、７５ｃｃよりも小さくすることができる。更に、これらの実施形態では、クラブヘッドの容積は、１００ｃｃ〜１５０ｃｃ、７５ｃｃ〜１５０ｃｃ、１００ｃｃ〜１２５ｃｃ、または、７５ｃｃ〜１２５ｃｃとすることができる。
【００８２】
クラブヘッド２０００がアイアンタイプのクラブヘッドである実施形態では、クラブヘッド２０００のロフト角は、３５度よりも小さくすることができ、３０度よりも小さくすることができ、２９度よりも小さくすることができ、２８度よりも小さくすることができ、２７度よりも小さくすることができ、２６度よりも小さくすることができ、２５度よりも小さくすることができ、または、２４度よりも小さくすることができる。更に、クラブヘッド２０００のロフト角は、１２度よりも大きくすることができ、１３度よりも大きくすることができ、１４度よりも大きくすることができ、１５度よりも大きくすることができ、１６度よりも大きくすることができ、１７度よりも大きくすることができ、または、１８度よりも大きくすることができる。これらの実施形態では、クラブヘッド２０００の容積は、１００ｃｃよりも小さくすることができ、７５ｃｃよりも小さくすることができ、６０ｃｃよりも小さくすることができ、５５ｃｃよりも小さくすることができ、または、５０ｃｃよりも小さくすることができる。更に、これらの実施形態では、クラブヘッドの容積は、２５ｃｃ〜７５ｃｃ、２５ｃｃ〜５０ｃｃ、４０ｃｃ〜６０ｃｃ、４５ｃｃ〜６０ｃｃ、または、４０ｃｃ〜５０ｃｃとすることができる。
【００８３】
多くの例では、キャビティ２０３０は、クラブヘッドがアドレス位置にあるときに接地面２０５８、前面２０６０、及びロフト面２０６４に関連して記載することができる。アドレス位置では、ホーゼル２０６６を通って中央に延びるホーゼル軸（図示しない）は、正面図から見ると接地面２０５８に対して６０度の角度に位置し、側面図から見ると接地面２０５８に対して９０度の角度に位置する。前面２０６０は、クラブヘッド２０００の最前点に隣接して、接地面２０５８に対して直角に位置する。ロフト面２０６４は、打球面２０１２の幾何学的中心に接して位置する。
【００８４】
図２６及び図２７を参照すると、図示の実施形態では、キャビティ２０３０は、クラブヘッドのソール２００６上の打球面２０１２の後ろに位置する。これらのまたは他の実施形態では、キャビティ２０３０は、打球面２０１２に対するインパクト応力を低減し、打球面厚さを低減する能力をもたらすことができる。更に、これらのまたは他の実施形態では、キャビティ２０３０は、ゴルフボールとのインパクト時の打球面撓みを増大させ、ボール速度と移動距離とを増大させることができる。他の実施形態では、キャビティ２０３０は、ソール２００６、クラウン２００８、または、ソール２００６とクラウン２００８との組合せ等のクラブヘッド２０００の任意の好適な区域上に位置することができる。例えば、他の実施形態では、キャビティ２０３０は、クラブヘッド２０００のクラウン２００８の上に位置することができる。更に、例えば、キャビティ２０３０は、ソール２００６の近くの打球面２０１２の少なくとも一部の上に位置することができる。更に、例えば、キャビティ２０３０は、クラブヘッド２０００のクラウン２００８とソール２００６との両方の上に位置することができる。
【００８５】
多くの例では、キャビティ２０３０は、クラブヘッド２０００のヒール部２００２の近くからトウ部２００４の近くまで延びる。更に、多くの例では、キャビティ２０３０は、クラブヘッド２０００のヒール部２００２とトウ部２００４との間を中心とすることができる。他の例では、キャビティ２０３０は、ヒール部２００２からトウ部２００４までクラブヘッド２０００に沿って任意の距離を延びることができる。更に、他の例では、キャビティ２０３０は、クラブヘッド２０００のヒール部２００２に向けてオフセットされるか、トウ部２００４に向けてオフセットされることができる。
【００８６】
他の例では、キャビティ２０３０は、複数の個別部（図示しない）を有することができる。例えば、キャビティは、クラブヘッドのトウ部２００４の近くに位置する第１キャビティ部（図示しない）とクラブヘッドのヒール部２００２の近くに位置する第２キャビティ部（図示しない）とを有することができる。これらの例では、キャビティ２０３０は、１、２、３、４、５、６、７、８、９、１０、または、任意の他の数の個別部等、任意の数の個別部を有することができる。
【００８７】
キャビティ２０３０は、更に、クラブヘッド２０００の前端２０１０の最も近くのクラウン２００８及び／またはソール２００６に隣接する前エッジ２０４６とクラブヘッド２０００の後端２０１１の最も近くのクラウン２００８及び／またはソール２００６に隣接する後エッジ２０４８とを有する。更に、キャビティ２０３０は、ヒール部２００２からトウ部２００４、外面２０５２、内部表面２０５４、及び外面２０５２と内面２０５４との間の最小距離として測定される厚さ２０５６に延びる長さを有する。図２６及び図２７の図示の例では、キャビティ２０３０の厚さ２０５６は、キャビティ２０３０の前エッジ２０４６の近くから後エッジ２０４８の近くまで実質的に一定である。更に、図２６及び図２７の図示の例では、キャビティ２０３０の厚さ２０５６は、クラブヘッド２０００のヒール部２００２の近くからトウ部２００４の近くまで実質的に一定である。他の例では、キャビティ２０３０の厚さ２０５６は、クラブヘッド２０００の前エッジ２０４６の近くから後エッジ２０４８の近くまで任意の外形に従って変化することができる。更に、他の例では、キャビティ２０３０の厚さ２０５６は、クラブヘッド２０００のヒール部２００２の近くからトウ部２００４の近くまで任意の外形に従って変化することができる。
【００８８】
図２６及び図２７を参照すると、キャビティ２０３０は、更に、主部２０３８とインセット部２０３６とを有する。キャビティ２０３０の主部２０３８は、前エッジ２０４６と後エッジ２０４８との間でクラブヘッド２０００のソール２００６から内側に延びる。インセット部２０３６は、打球面２０１２に向けてキャビティ２０３０の主部２０３８から延びる。多くの実施形態では、主部２０３８及びインセット部２０３６は、ロフト面２０６４に平行に、キャビティの長さに沿って各位置で前エッジ２０４６を通って延びる複数の軸２０４７によって形成される平面によって分離される。多くの実施形態では、キャビティの長さに沿った各位置は、約０．１インチの長さの増分で画定することができる。他の実施形態では、キャビティの長さに沿った各位置は、０．１００インチよりも短い長さ、０．０７５インチよりも短い長さ、または、０．０５０インチよりも短い長さの増分で画定することができる。
【００８９】
インセット部２０３６は、インセット部の無いキャビティを有するクラブヘッドと比較して、ゴルフボールとのインパクト時の打球面撓みを増大させる。更に、インセット部２０３６は、インセット部の無いキャビティを有するクラブヘッドと比較して、ゴルフボールとのインパクト時により広い範囲に応力を分散させる。多くの実施形態では、インセット部２０３６によるゴルフクラブヘッド中での応力のより大きい分散は、キャビティ２０３０の前エッジ２０４６または後エッジ２０４８において応力集中が発生するのを阻止する。
【００９０】
多くの実施形態では、キャビティ２０３０は、クラブヘッド２０００のロフト面２０６４または打球面２０１２からオフセットされる。いくつかの実施形態では（図２６）、キャビティ２０３０の前エッジ２０４６は、ヒール領域２００２の近くからトウ領域２００４の近くまで延びる一定の距離だけロフト面２０６４または打球面２０１２からオフセットされることができる。他の実施形態では（図示しない）、キャビティ２０３０の前エッジ２０４６は、ヒール領域２００２の近くからトウ領域２００４の近くまで延びる変化する距離だけロフト面２０６４または打球面２０１２からオフセットされることができる。例えば、他の実施形態では、打球面２０１２の中心の近くのキャビティ２０３０の前エッジ２０４６は、クラブヘッド２０００のヒール領域２００２の近く及び／またはトウ領域２００４の近くのキャビティ２０３０の前エッジ２０４６よりも打球面２０１２の近くに位置することができる。
【００９１】
多くの実施形態では、キャビティ２０３０の前エッジ２０４６の少なくとも一部は、ロフト面２０６４に対して直角な方向に測定される、１．０インチ以下の距離２０４９だけロフト面２０６４または打球面２０１２からオフセットされることができる。他の実施形態では、キャビティ２０３０の前エッジ２０４６の少なくとも一部は、ロフト面２０６４に対して直角な方向に測定される、０．７５インチ以下、０．５０インチ以下、０．４５インチ以下、０．４０インチ以下、０．３５インチ以下、０．３０インチ以下、０．２５インチ以下、０．２０インチ以下、０．１５インチ以下、０．１０インチ以下、または、０．０５インチ以下の距離２０４９だけロフト面２０６４または打球面２０１２からオフセットされることができる。例えば、多くの実施形態では、キャビティ２０３０の前エッジ２０４６の少なくとも一部は、ロフト面２０６４に対して直角な方向に測定される、０．０２５〜０．０７５インチの間の距離だけロフト面２０６４または打球面２０１２からオフセットされる。
【００９２】
多くの実施形態では、打球面のフェース近傍にキャビティ２０３０の前エッジ２０４６の少なくとも一部が位置することは、打球面からより遠くに位置する前エッジを持つキャビティを有する同様のクラブヘッドと比較して、インパクト中にクラブヘッド２０００によって貯蔵される内部エネルギを増大させ、したがって、ゴルフボールへのエネルギ伝達を増大させることができる。ゴルフボールへのエネルギ伝達を増大させると、ボール速度と移動距離との増大が可能になる。
【００９３】
例えば、一実施形態では、ロフト面２０６４に対して直角の方向に測定される、打球面から０．０５インチのオフセット距離２０４９にキャビティ２０３０の前エッジ２０４６の少なくとも一部を位置することは、キャビティを持っていないクラブヘッドと比較して、約８．６パーセントだけクラブヘッド２０００に貯蔵される内部エネルギを増大させた。更に、例えば、一実施形態では、ロフト面２０６４に対して直角の方向に測定される、打球面から０．１０インチのオフセット距離２０４９にキャビティ２０３０の前エッジ２０４６の少なくとも一部を位置することは、キャビティを持っていないクラブヘッドと比較して、約２．９パーセントだけクラブヘッド２０００に貯蔵される内部エネルギを増大させた。これらの例では、打球面２０１２から０．０５インチに位置する前エッジを持つキャビティを有するクラブヘッドは、打球面２０１２から０．１０インチに位置する前エッジを持つキャビティを有するクラブヘッドと比較して、ゴルフボールとのインパクト時に約５．６パーセント多くの内部エネルギを貯蔵した。したがって、打球面２０１２のより近くにキャビティ２０３０の前エッジ２０４６を位置することは、ゴルフボールとのインパクト時にクラブヘッド２０００に貯蔵される内部エネルギを増大させ、ボールへのエネルギ伝達の増大、ボール速度の増大、及び移動距離の増大を可能にする。
【００９４】
図２６及び図２７を参照すると、キャビティ２０３０は、更に、前後断面に関して記載されることができる。前後断面は、クラブヘッド２０００の前端２０１０から後端２０１１に向けて延びる、接地面２０５８及び前面２０６０に対して直角に位置する平面にとられる。前後断面は、キャビティの長さに沿ったどこにでも位置することができる。例えば、図２７は、キャビティ２０３０の中間点に位置する平面に沿ったクラブヘッドの断面図を示す。
【００９５】
図２６及び図２７を参照すると、キャビティ２０３０がソール２００６上に位置するとき、キャビティ２０３０は、更に、頂点軸２０６８を有する。頂点軸２０６８は、前面からのオフセット距離２０７６に位置する。キャビティ２０３０のオフセット距離２０７６は、一定とすることができるか、またはキャビティ２０３０のオフセット距離２０７６は、クラブヘッド２０００のヒール部２００２からトウ部２００４まで変化することができる。
【００９６】
頂点軸２０６８は、ヒール部２００２からトウ部２００４に延びるキャビティ２０３０の長さに沿った各位置におけるキャビティ２０３０の最も深い部分または最大深さ２０７４を画定する。ソール２００６上に位置するキャビティ２０３０の最大深さ２０７４は、ロフト面２０６４に対して平行な方向に前エッジ２０４６から頂点軸２０６８まで測定される。キャビティ２０３０の最大深さ２０７４は、一定とすることができるか、またはキャビティ２０３０の最大深さ２０７４は、クラブヘッド２０００のヒール部２００２からトウ部２００４まで変化することができる。例えば、キャビティ２０３０の中間点にとられた前後断面におけるキャビティ２０３０の最大深さ２０７４は、クラブヘッド２０００のヒール部２００２の近くまたはトウ部２００４の近くにとられた前後断面におけるキャビティ２０３０の最大深さ２０７４とは異なることができる。
【００９７】
図２６及び図２７を参照すると、キャビティ２０３０は、更に、前面２０７８と裏面２０８０とを有する。前面２０７８は、キャビティ２０３０の前エッジ２０４６から頂点軸２０６８に延びる。裏面２０８０は、キャビティ２０３０の頂点軸２０６８から後エッジ２０４８に延びる。したがって、前面２０７８と裏面２０８０とは、キャビティ２０３０の頂点軸２０６８によって分離される。図２６及び図２７を参照すると、キャビティ２０３０の前面２０７８の少なくとも一部は、前エッジ２０４６の近くから頂点軸２０６８に向けた方向に打球面２０１２に向けて延びる。これらのまたは他の実施形態では、キャビティ２０３０の前面２０７８の少なくとも一部は、打球面撓みの増大とキャビティ２０３０とクラブヘッドボディ２００１とにわたる応力分配の増大とを促進するために打球面２０１２に向けて延びる。前面２０７８は、前面外形の少なくとも一部がクラブヘッド２０００の打球面２０１２に向けて延びるような任意の外形を有することができる。多くの実施形態では、打球面２０１２に向けて延びる前面２０７８の一部は、キャビティ２０３０のインセット部を形成する。
【００９８】
前面２０７８は、更に、クラブヘッド２０００の任意の前後断面において最前点２０８２と最後点２０８４とを有する。最前点２０８２は、前面２０６０または打球面２０１２の最も近くの前面２０７８に沿って位置し、最後点２０８４は、前面２０６０または打球面２０１２から最も遠くの前面２０７８に沿って位置する。最前点２０８２は、前面２０６０から第１距離Ｄ１に位置し、最後点２０８４は、前面２０６０から第２距離Ｄ２に位置する。第２距離Ｄ２は、キャビティ２０３０の少なくとも１つの前後断面において第１距離Ｄ１よりも長い。第１距離Ｄ１及び第２距離Ｄ２は、一定とすることができるか、または第１距離Ｄ１及び第２距離Ｄ２は、クラブヘッド２０００のヒール部２００２からトウ部２００４まで変化することができる。例えば、キャビティ２０３０の中間点にとられた前後断面におけるキャビティ２０３０の第１距離Ｄ１は、クラブヘッド２０００のヒール部２００２の近くまたはトウ部２００４の近くにとられた前後断面におけるキャビティ２０３０の第１距離Ｄ１とは異なることができる。更に、例えば、キャビティ２０３０の中間点にとられた前後断面におけるキャビティ２０３０の第２距離Ｄ２は、クラブヘッド２０００のヒール部２００２の近くまたはトウ部２００４の近くにとられた前後断面におけるキャビティ２０３０の第２距離Ｄ２とは異なることができる。多くの例では、第１距離Ｄ１に対する第２距離Ｄ２の比率は、キャビティ２０３０の少なくとも一部において１．０よりも大きいか、１．０５よりも大きいか、１．１よりも大きいか、１．１５よりも大きいか、１．２よりも大きいか、１．２５よりも大きいか、または１．３よりも大きい。
【００９９】
図２６及び図２７を参照すると、軸２０８６は、キャビティ２０３０の前面２０７８の最前点２０８２と最後点２０８４とを通って延びる。図示の実施形態では、軸２０８６は、クラブヘッド２０００の打球面２０１２と交差する。多くの実施形態では、軸２０８６は、クラブヘッド２０００の打球面２０１２と鋭角に交差する。更に、軸２０８６は、クラブヘッド２０００のロフト面２０６４に対して角度２０８８に位置する。多くの実施形態では、角度２０８８は、打球面に向けて延びない前面を持つキャビティを有するクラブヘッドと比較して打球面撓みを増大するために、０〜９０度、５〜８５度、１０〜８０度、または、１５〜７５度にわたる。角度２０８８は、一定とすることができるか、または、クラブヘッド２０００のヒール部２００２からトウ部２００４まで変化することができる。例えば、キャビティ２０３０の中間点にとられた前後断面におけるキャビティ２０３０の角度２０８８は、クラブヘッド２０００のヒール部２００２の近くまたはトウ部２００４の近くにとられた前後断面におけるキャビティ２０３０の角度２０８８とは異なることができる。
【０１００】
多くの実施形態では、キャビティのインセット部２０３６は、高さ２０４０と深さ２０５０とを有する。図示の実施形態では、ロフト面２０６４に対して平行に測定されるインセット部２０３６の高さ２０４０は、クラブヘッド２０００のヒール部２００２からトウ部２００４まで一定である。図示の実施形態では、キャビティ２０３０の高さ２０４０は、クラブヘッド２０００の前端２０１０の近くから後端２０１１の近くまで変化することができる。例えば、図示の実施形態では、キャビティ２０３０の高さ２０４０は、クラブヘッド２０００の前端２０１０の近くから後端２０１１の近くまで増大する。他の実施形態では、キャビティ２０３０の高さ２０４０は、クラブヘッド２０００の前端２０１０の近くから後端２０１１の近くまで任意の外形に従って変化することができる。
【０１０１】
更に、インセット部２０３６の高さ２０４０は、クラブヘッドのヒール部２００２からトウ部２００４まで任意の外形に従って増大または減少することができる。例えば、インセット部２０３６の高さ２０４０は、クラブヘッド２０００のヒール部２００２からトウ部２００４まで増大することができる。更に、例えば、インセット部２０３６の高さ２０４０は、クラブヘッド２０００のヒール部２００２からトウ部２００４まで減少することができる。更に、例えば、インセット部２０３６の高さ２０４０は、クラブヘッド２０００の中心からヒール部２００２及びトウ部２００４に向けて増大することができる。更に、例えば、インセット部２０３６の高さ２０４０は、クラブヘッド２０００の中心からヒール部２００２及びトウ部２００４に向けて減少することができる。
【０１０２】
図示の実施形態では、ロフト面２０６４に対して平行な方向に前エッジと最前点２０８２との間の距離として測定されるインセット部２０３６の深さ２０５０は、クラブヘッド２０００のヒール部２００２からトウ部２００４まで一定のままである。他の実施形態では、インセット部２０３６の深さ２０５０は、クラブヘッド２０００のヒール部２００２からトウ部２００４まで任意の外形に従って増大または減少することができる。例えば、インセット部２０３６の深さ２０５０は、クラブヘッド２０００のヒール部２００２からトウ部２００４まで増大することができる。更に、例えば、インセット部２０３６の深さ２０５０は、クラブヘッド２０００のヒール部２００２からトウ部２００４まで減少することができる。更に、例えば、インセット部２０３６の深さ２０５０は、クラブヘッド２０００の中心からヒール部２００２及びトウ部２００４に向けて増大することができる。更に、例えば、インセット部２０３６の深さ２０５０は、クラブヘッド２０００の中心からヒール部２００２及びトウ部２００４に向けて減少することができる。
【０１０３】
図２６及び図２７の図示の実施形態では、前面２０７８の外形は単方向である。更に、前面２０７８は、打球面２０１２に向けた方向にキャビティ２０３０の頂点軸２０６８に向けて延びる。これらのまたは他の例では、前面２０７８の最前点２０８２は、キャビティ２０３０の頂点軸２０６８の近くに位置し、最後点２０８４は、キャビティ２０３０の前エッジ２０４６の近くに位置する。他の実施形態では、前面外形は、多方向であることができ、前面の少なくとも一部が、打球面２０１２に向けた方向にキャビティの頂点軸に向けて延びるような任意の外形を有することができる。
【０１０４】
図２６及び図２７の図示の実施形態では、キャビティ２０３０の裏面２０８０は、実質的に直線である。他の実施形態では、キャビティ２０３０の裏面２０８０は、任意の形状を有することができる。
【０１０５】
他の例では、キャビティ２０３０は、キャビティ２０３０の主部２０３８がクラブヘッド２０００のソール２００６から内側に延び、インセット部２０３６がキャビティ２０３０の主部２０３８からクラブヘッド２０００の後端２０１１に向けて延びるように配向されることができる。これらの例では、前面２０７８は、任意の外形を有することができ、少なくとも一部または裏面２０８０は、クラブヘッド２０００の後端２０１１に向けて延びることができる。
【０１０６】
図２２及び図２３は、打球面３０１２及びボディ３００１を有するクラブヘッド３０００の他の実施形態を示す。ボディ３００１は、ヒール領域と３００２と、ヒール領域３００２に対向するトウ領域３００４と、ソール３００６と、ソール３００６に対向するクラウン３００８と、前端３０１０と、前端３０１０に対向する後端３０１１と、キャビティ３０３０と、を有する。クラブヘッド３０００は、キャビティ３０３０の前面３０７８が多方向であることを除き、同様の特徴を参照する同じ番号を持つクラブヘッド２０００と同様であることができる。これらのまたは他の実施形態では、前面３０７８は、複数の方向にキャビティ３０３０の前エッジ３０４６から頂点軸３０６８に延び、したがって、前面３０７８の少なくとも一部は、打球面３０１２に向けて延びる。
【０１０７】
図２２〜図２５、図２８、及び、図２９を参照すると、これらのまたは他の例では、キャビティ３０３０は、インセット部３０３６を有し、更に、前エッジ３０４６からキャビティ３０３０に延びる側壁３０３２と後エッジ３０４８からキャビティ３０３０に延びる内壁３０３４とを有することができる。インセット部３０３６は、側壁３０３２に対して第１角度３０４２に位置し、内壁３０３４に対して第２角度３０４４に位置する。図示の実施形態では、第１角度３０４２は、約９０度である。他の実施形態では、第１角度３０４２は、約８５〜９５度、約８０〜１００度、または、約７５〜１０５度の範囲にあることができる。更に、図示の実施形態では、第２角度３０４４は、約９０度である。他の実施形態では、第２角度３０４４は、約８５〜９５度、約８０〜１００度、または、約７５〜１０５度の範囲にあることができる。
【０１０８】
これらの実施形態では、クラブヘッド３０００のキャビティ３０３０は、それぞれ、クラブヘッド２０００のキャビティ２０３０の主部２０３８、インセット部２０３６、前エッジ２０４６、及び、後エッジ２０４８と同様の主部３０３８、インセット部３０３６、前エッジ３０４６、及び、後エッジ３０４８を有する。更に、クラブヘッド３０００のキャビティ３０３０は、それぞれ、クラブヘッド２０００のキャビティ２０３０の頂点軸２０６８、前面２０７８、及び、裏面２０８０と同様の頂点軸３０６８、前面３０７８、及び、裏面３０８０を有する。したがって、クラブヘッド３０００の前面３０７８の少なくとも一部は、打球面３０１２に向けて延びる。
【０１０９】
図２４は、打球面４０１２及びボディ４００１を有するクラブヘッド４０００の他の実施形態を示す。ボディ４００１は、ヒール領域４００２と、ヒール領域４００２に対向するトウ領域４００４と、ソール４００６と、ソール４００６に対向するクラウン４００８と、前端４０１０と、前端４０１０に対向する後端４０１１と、キャビティ４０３０とを有する。クラブヘッド４０００は、キャビティ４０３０が打球面４０１２の後ろであって、クラブヘッド４０００のクラウン４００８上に位置することを除き、同様の特徴を参照する同じ番号を持つクラブヘッド３０００をと同様であることができる。これらのまたは他の実施形態では、キャビティ４０３０は、ゴルフボールとのインパクト時の打球面撓みを増大させ、逆回転を低減し、及び／または、打出し角度を増大させ、ボール速度と移動距離とを増大させることができる。更に、これらのまたは他の実施形態では、キャビティ４０３０をクラウン上に少なくとも部分的に位置することは、更に、打球面の低い位置でのインパクトのために打球面の曲げを増大させることができる。
【０１１０】
図２４を参照すると、キャビティ４０３０がクラウン４００８上に位置するとき、キャビティ４０３０は、更に、天底軸４０７２を有する。天底軸４０７２は、前面からのオフセット距離４０７６に位置する。キャビティ４０３０のオフセット距離４０７６は、一定とすることができるか、またはキャビティ４０３０のオフセット距離４０７６は、クラブヘッド４０００のヒール部４００２からトウ部４００４まで変化することができる。
【０１１１】
天底軸４０７２は、ヒール部４００２からトウ部４００４に延びるキャビティ４０３０の長さに沿った各位置におけるキャビティ４０３０の最も深い部分または最大深さ４０７４を画定する。クラウン４００８上に位置するキャビティ４０３０の最大深さ４０７４は、ロフト面４０６４に対して平行な方向に前エッジ４０４６から天底軸４０７２まで測定される。キャビティ４０３０の最大深さ４０７４は、一定とすることができるか、またはキャビティ４０３０の最大深さ４０７４は、クラブヘッド４０００のヒール部４００２からトウ部４００４まで変化することができる。例えば、キャビティ４０３０の中間点にとられた前後断面におけるキャビティ４０３０の最大深さ４０７４は、クラブヘッド４０００のヒール部４００２の近くまたはトウ部４００４の近くにとられた前後断面におけるキャビティ４０３０の最大深さ４０７４とは異なることができる。
【０１１２】
図２４を参照すると、キャビティ４０３０は、更に、前面４０７８と裏面４０８０とを有する。前面４０７８は、キャビティ４０３０の前エッジ４０４６から天底軸４０７２に延びる。裏面４０８０は、キャビティ４０３０の天底軸４０７２から後エッジ４０４８に延びる。したがって、前面４０７８と裏面４０８０とは、キャビティ４０３０の天底軸４０７２によって分離される。図２４を参照すると、キャビティ４０３０の前面４０７８の少なくとも一部は、前エッジ４０４６の近くから天底軸４０７２に向けた方向に打球面４０１２に向けて延びる。これらのまたは他の実施形態では、キャビティ４０３０の前面４０７８の少なくとも一部は、打球面撓みの増大とキャビティ４０３０とクラブヘッドボディ４００１とにわたる応力分配の増大とを促進するために打球面４０１２に向けて延びる。前面４０７８は、前面外形の少なくとも一部がクラブヘッド４０００の打球面４０１２に向けて延びるような任意の外形を有することができる。多くの実施形態では、打球面４０１２に向けて延びる前面４０７８の一部は、キャビティ４０３０のインセット部を形成する。
【０１１３】
図２４を参照すると、キャビティ４０３０は、更に、主部４０３８とインセット部４０３６とを有する。キャビティ４０３０の主部４０３８は、前エッジ４０４６と後エッジ４０４８との間でクラブヘッド４０００のクラウン４００８から内側に延びる。インセット部４０３６は、打球面４０１２に向けてキャビティ４０３０の主部４０３８から延びる。多くの実施形態では、主部４０３８及びインセット部４０３６は、ロフト面４０６４に平行に、キャビティ４０３０の長さに沿って各位置で前エッジ４０４６を通って延びる複数の軸４０４７によって形成される平面によって分離される。多くの実施形態では、キャビティの長さに沿った各位置は、約０．１インチの長さの増分によって画定されることができる。他の実施形態では、キャビティの長さに沿った各位置は、０．１００インチよりも短い長さ、０．０７５インチよりも短い長さ、または０．０５０インチよりも短い長さの増分によって画定されることができる。
【０１１４】
インセット部４０３６は、インセット部の無いキャビティを有するクラブヘッドと比較して、ゴルフボールとのインパクト時の打球面撓みを増大させる。更に、インセット部４０３６は、インセット部の無いキャビティを有するクラブヘッドと比較して、ゴルフボールとのインパクト時により広い範囲に応力を分散させる。多くの実施形態では、インセット部４０３６によるゴルフクラブヘッド中での応力のより大きい分散は、キャビティ４０３０の前エッジ４０４６または後エッジ４０４８において応力集中が発生するのを阻止する。
【０１１５】
図３０は、打球面５０１２及びボディ５００１を有するクラブヘッド５０００の他の実施形態を示す。ボディ５００１は、ヒール領域５００２と、ヒール領域５００２に対向するトウ領域５００４と、ソール５００６と、ソール５００６に対向するクラウン５００８と、前端５０１０と、前端５０１０に対向する後端５０１１と、キャビティ５０３０と、を有する。クラブヘッド５０００は、キャビティ５０３０の裏面５０８０が凹状であり、それによって、ゴルフボールとのインパクト時のクラブヘッドの変形に適合し、撓み及びエネルギ貯蔵の増大を可能とすることを除き、同様の特徴を参照する同じ番号を持つクラブヘッド２０００と同様であることができる。他の実施形態では、キャビティ５０３０は、任意の他の湾曲形状を有することができる。例えば、他の実施形態では、キャビティ５０３０の裏面５０８０は、凸状であることができるか、または任意の他の外形を有することができる。
【０１１６】
これらの実施形態では、クラブヘッド５０００のキャビティ５０３０は、それぞれ、クラブヘッド２０００のキャビティ２０３０の主部２０３８、インセット部２０３６、前エッジ２０４６、及び、後エッジ２０４８と同様の主部５０３８、インセット部５０３６、前エッジ５０４６、及び、後エッジ５０４８を有する。更に、クラブヘッド５０００のキャビティ５０３０は、それぞれ、クラブヘッド２０００のキャビティ２０３０の頂点軸２０６８、前面２０７８、及び裏面２０８０と同様の頂点軸５０６８、前面５０７８、及び裏面５０８０を有する。したがって、クラブヘッド５０００の前面５０７８の少なくとも一部は、打球面５０１２に向けて延びる。
【０１１７】
図２８は、打球面６０１２及びボディ６００１を有するクラブヘッド６０００の他の実施形態を示す。ボディ６００１は、ヒール領域６００２と、ヒール領域６００２に対向するトウ領域６００４と、ソール６００６と、ソール６００６に対向するクラウン６００８と、前端６０１０と、前端６０１０に対向する後端６０１１と、キャビティ６０３０と、を有する。クラブヘッド６０００は、キャビティ６０３０の裏面６０８０が凹状であり、それによって、ゴルフボールとのインパクト時のクラブヘッドの変形に適合し、撓み及びエネルギ貯蔵の増大を可能とすることを除き、同様の特徴を参照する同じ番号を持つクラブヘッド３０００と同様であることができる。他の実施形態では、キャビティ６０３０は、任意の他の湾曲形状を有することができる。例えば、他の実施形態では、キャビティ６０３０の裏面６０８０は、凸状であることができるか、または任意の他の外形を有することができる。
【０１１８】
これらの実施形態では、クラブヘッド６０００のキャビティ６０３０は、それぞれ、クラブヘッド３０００のキャビティ３０３０の主部３０３８、インセット部３０３６、前エッジ３０４６、及び、後エッジ３０４８と同様の主部６０３８、インセット部６０３６、前エッジ６０４６、及び、後エッジ６０４８を有する。更に、クラブヘッド６０００のキャビティ６０３０は、それぞれ、クラブヘッド３０００のキャビティ３０３０の頂点軸３０６８、前面３０７８、及び、裏面３０８０と同様の頂点軸６０６８、前面６０７８、及び、裏面６０８０を有する。したがって、クラブヘッド６０００の前面６０７８の少なくとも一部は、打球面６０１２に向けて延びる。
【０１１９】
図２９は、打球面７０１２及びボディ７００１を有するクラブヘッド７０００の他の実施形態を示す。ボディ７００１は、ヒール領域７００２と、ヒール領域７００２に対向するトウ領域７００４と、ソール７００６と、ソール７００６に対向するクラウン７００８と、前端７０１０と、前端７０１０に対向する後端７０１１と、キャビティ７０３０と、を有する。クラブヘッド７０００は、キャビティ７０３０の裏面７０８０が凹状であり、それによって、ゴルフボールとのインパクト時のクラブヘッドの変形に適合し、撓み及びエネルギ貯蔵の増大を可能とすることを除き、同様の特徴を参照する同じ番号を持つクラブヘッド４０００と同様であることができる。他の実施形態では、キャビティ７０３０は、任意の他の湾曲形状を有することができる。例えば、他の実施形態では、キャビティ７０３０の裏面７０８０は、凸状であることができるか、または任意の他の外形を有することができる。
【０１２０】
これらの実施形態では、クラブヘッド７０００のキャビティ７０３０は、それぞれ、クラブヘッド４０００のキャビティ４０３０の主部４０３８、インセット部４０３６、前エッジ４０４６、及び、後エッジ４０４８と同様の主部７０３８、インセット部７０３６、前エッジ７０４６、及び、後エッジ７０４８を有する。更に、クラブヘッド７０００のキャビティ７０３０は、それぞれ、クラブヘッド４０００のキャビティ４０３０の天底軸４０７２、前面４０７８、及び裏面４０８０と同様の天底軸７０７２、前面７０７８、及び、裏面７０８０を有する。したがって、クラブヘッド７０００の前面７０７８の少なくとも一部は、打球面７０１２に向けて延びる。
【０１２１】
図２５は、打球面８０１２及びボディ８００１を有するクラブヘッド８０００の他の実施形態を示す。ボディ８００１は、ヒール領域８００２と、ヒール領域８００２に対向するトウ領域８００４と、ソール８００６と、ソール８００６に対向するクラウン８００８と、前端８０１０と、前端８０１０に対向する後端８０１１と、キャビティ８０３０と、を有する。クラブヘッド８０００は、クラブヘッド８０００のキャビティ８０３０が打球面８０１２とクラウン８００８との間の移行に位置することを除き、同様の特徴を参照する同じ番号を持つクラブヘッド４０００と同様であることができる。これらのまたは他の実施形態では、インセット部８０３６は、キャビティ８０３０の主部８０３８よりもクラブヘッド８０００の後端８０１１の近くに位置することができる。
【０１２２】
他の実施形態では、キャビティ８０３０は、クラブヘッド８０００の打球面８０１２とボディ８００１との間の任意の移行領域上に位置することができる。例えば、他の実施形態では、キャビティ８０３０は、打球面８０１２とソール８００６との間の移行領域に位置することができる。
【０１２３】
図２２〜図３０を参照すると、本明細書で説明したキャビティ２０３０、３０３０、４０３０、５０３０、６０３０、７０３０、８０３０を有するクラブヘッド２０００、３０００、４０００、５０００、６０００、７０００、８０００は、ゴルフボールとのインパクト時に増大した内部エネルギを貯蔵することができる。貯蔵されたエネルギの増大は、増大したエネルギをインパクト時にゴルフボールに伝達することを可能とし、それによって、キャビティを持っていない同様のクラブヘッドと比較して、またはインセット部を持つキャビティを持っていないキャビティを有する同様のクラブヘッドと比較して、ボール速度と移動距離とを増大する。
【０１２４】
例えば、いくつかの実施形態では、本明細書で説明するキャビティを有するクラブヘッドは、キャビティを持っていない同様のクラブヘッドと比較して、１００マイル／時のスイング速度でのゴルフボールとのシミュレートされたインパクト時に約４８〜９０％多くの内部エネルギを貯蔵した。更に、例えば、表１を参照すると、図２８に示すクラブヘッド６０００は、インセット部の無い同様のキャビティを有する同様のクラブヘッドと比較して、１００マイル／時のスイング速度でのゴルフボールとのシミュレートされたインパクト時に４．０％多くの内部エネルギを貯蔵した。更に、例えば、表１を参照すると、図３０に示すクラブヘッド５０００は、インセット部の無い同様のキャビティを有する同様のクラブヘッドと比較して、１００マイル／時のスイング速度でのゴルフボールとのシミュレートされたインパクト時に約４〜１０％多くの内部エネルギを貯蔵することができる。
【０１２５】
更に、図２２〜図３０を参照すると、本明細書で説明するキャビティ２０３０、３０３０、４０３０、５０３０、６０３０、７０３０、８０３０を有するクラブヘッド２０００、３０００、４０００、５０００、６０００、７０００、８０００は、より広い表面区域を介してインパクト応力を再分散し、それによって、キャビティを持っていないか、または、インセット部を有するキャビティを持っていない同様のクラブヘッドと比較して、クラブヘッドの耐久性を増大することができる。インセット部を有するキャビティを持っていない多くのクラブヘッドは、キャビティの前エッジの近くに高い応力を経験する。それとは反対に、本明細書で説明するキャビティ２０３０、３０３０、４０３０、５０３０、６０３０、７０３０、８０３０を有するクラブヘッド２０００、３０００、４０００、５０００、６０００、７０００、８０００は、インパクト時にクラブヘッド及び／またはキャビティのねじり曲げを増大することを可能とし、それによって、前エッジ及び後エッジにおける応力集中を低減し、クラブヘッドの耐久性を増大するためにキャビティのより広い領域にわたってインパクト応力を分散することを可能とする。
【０１２６】
例えば、表１を参照すると、図２８及び図３０に示すクラブヘッド６０００及び５０００は、１００マイル／時のスイング速度でのゴルフボールとのシミュレートされたインパクト時に、インセット部の無い同様のキャビティを有する同様のクラブヘッドのピーク応力よりも１７〜２５％小さいピーク応力をインパクト時に経験した。
【０１２７】
【表１】
2019504716.tif 000003
【０１２８】
ＩＩＩ．カスケードソール及びバックキャビティを有するゴルフクラブヘッド
いくつかの実施形態では、バックキャビティを有するゴルフクラブヘッドは、更に、段付薄肉部を有するカスケードソールを備える。図１４は、実施形態によるゴルフクラブヘッド１１００の断面を示し、これは図１０の同様な断面線ＸＩＩ−ＸＩＩに沿うゴルフクラブヘッド１０００（図１０）と同様にすることができる。ゴルフクラブヘッド１０００（図１０）と同様に、ゴルフクラブヘッド１１００は、ボディ１１０１を有する。ボディ１１０１は、打球面１１１２と、ソール１１０６と、クラウン１１０８と、を有する。打球面１１１２は、高領域１１７６と、中領域１１７４と、低領域１１７２と、を有する。クラウン１１０８は、上部領域１１１１と下部領域１１１３とを有する。上部領域１１１１は、頂部レール１１１５を有する。多くの実施形態では、キャビティ１１３０は、頂部レール１１１５の下側に配置される。ゴルフクラブヘッド１１００は、更に、内径移行部３１０と同様なカスケードソール１３１０を有する（図３）。内径移行部１３１０は、第１厚さの第１段１３１５と、第２厚さの第２段１３１７と、段移行領域１３１６とを有することができる。いくつかの実施形態では、カスケードソール１３１０は、頂部レール１１１５に対して更に柔軟性を付与することができる。多くの実施形態では、カスケードソールに組み合わされるバックキャビティは、打球面に更に大きなスプリング効果を付与する。いくつかの実施形態では、カスケードソールを有するバックキャビティは、打球面の撓みに約３％〜５％多くのエネルギを許容する。カスケードソール１３１０は、２段以上の任意数の段を有することができる。例えば、カスケードソール１３１０は、２，３，４，５，６または７つの段を有することができる。
【０１２９】
カスケードソール及びバックキャビティを有するゴルフクラブヘッド１１００は、カスケードソールまたはバックキャビティのみを有するゴルフクラブヘッドよりも、打球面に対してより大きなリコイル力を付与することができる。これは、上述のように、内径移行部及びバックキャビティの双方から組み合わされて増大されたリコイル力による。打球面に対して増大したリコイル力は、撓みを増大させ、これは、ゴルフボールに適用されるインパクト力を増大し、これにより、ゴルフボールの速度を増大する。いくつかの実施形態では、キャビティ１１３０と内径移行部１３１０とを双方を有するゴルフクラブヘッド１１００は、球速を増大し、打出し角度を増大し、良好な距離コントロールを提供することができる。種々の実施形態では、ゴルフクラブヘッド１１００は、球速を約１％から約４％増大することができる。種々の実施形態では、ゴルフクラブヘッド１１００は、球速を約１％，２％，３％または４％増大することができる。多くの実施形態では、ゴルフクラブヘッド１１００は、ゴルフボールを打球面の高領域１１７６でインパクトしたときに、球速をより大きく増大する。いくつかの実施形態では、ゴルフクラブヘッド１１００は、打出し角度を約０．５度から約１．１度増大することができる。いくつかの実施形態では、ゴルフクラブヘッド１１００は、打出し角度を約０．５度、０．６度、０．７度、０．８度、０．９度、１．０度または１．１度増大することができる。
【０１３０】
カスケードソール及びバックキャビティを有するゴルフクラブヘッド１１００の実施形態をテストした。全体として、カスケードソール及びバックキャビティを欠いた対照ゴルフクラブヘッドを比較したときに、キャビティ付ゴルフクラブヘッドはゴルフボールの速度の増加及び打出し角度の増加を示した。キャビティ付ゴルフクラブヘッドは、カスケードソール１３１０（図１４）及びキャビティ１１３０（図１４）の組合せからの組合されたスプリング効果により、打球面のあらゆる接触位置に対して、ゴルフボールの速度の上昇及び打出し角度の増加を示した。いくつかの実施形態では、部分的にキャビティ１１３０（図１４）のスプリング効果により、ゴルフボールの速度及び打出し角度のより大きな増大が、打球面の高い部分（例えば高領域１０７６（図１２）または高領域１１７６（図１４））での接触で観測された。図１９〜２０は、閉じたバックデザイン及びキャビティ付ゴルフクラブヘッドと同様なロフト角を有する標準のアイアンタイプのゴルフクラブヘッド（対照ゴルフクラブヘッド）と比較したゴルフクラブヘッド１１００（キャビティ付ゴルフヘッド）の実施形態のテストの結果を示す。図１９は、ゴルフボールを打球面の高領域でインパクトするときの対照ゴルフクラブヘッドと比較したキャビティ付ゴルフクラブヘッドのゴルフボール速度の増加を示し、図２０は、ゴルフボールを打球面の高領域でインパクトしたときの対照ゴルフクラブヘッドと比較したキャビティ付ゴルフクラブヘッドの打出し角度の増加を示す。
【０１３１】
特に、図１９は、対照ゴルフクラブヘッドと比較したときに、キャビティ付ゴルフクラブヘッドのゴルフボール速度は、ゴルフボールを打球面の高トウ領域でインパクトしたときに、約１．９％（または、約２．５ｍｐｈ）、ゴルフボールを打球面の高中央領域でインパクトしたときに、約２．１％（または、約２．８ｍｐｈ、若しくは、約４．５ｋｐｈ）、ゴルフボールを打球面の高ヒール領域でインパクトしたとき（キャビティ付ゴルフクラブヘッドの全て）に、約１．５％（または、約２．０ｍｐｈ、若しくは、約３．２ｋｐｈ）増加することを示す。対照ゴルフクラブヘッドの高トウ領域でゴルフボールを打球面にインパクトしたときに、ゴルフボールの速度約１３２．５ｍｐｈ（２１３．２ｋｐｈ）であり、一方、キャビティ付ゴルフクラブヘッドの高トウ領域で打球面にインパクトしたときに、ゴルフボールは、約１３５．０ｍｐｈ（２１７．３ｋｐｈ）に達する。対照ゴルフクラブヘッドの高中央領域でゴルフボールを打球面にインパクトしたときに、ゴルフボールの速度約１３３．４ｍｐｈ（２１４．７ｋｐｈ）であり、一方、キャビティ付ゴルフクラブヘッドの高中央領域で打球面にインパクトしたときに、ゴルフボールは、約１３６．２ｍｐｈ（２１９．２ｋｐｈ）に達する。対照ゴルフクラブヘッドの高ヒール領域でゴルフボールを打球面にインパクトしたときに、ゴルフボールの速度約１３４．０ｍｐｈ（２１５．７ｋｐｈ）であり、一方、キャビティ付ゴルフクラブヘッドの高ヒール領域で打球面にインパクトしたときに、ゴルフボールは、約１３６．０ｍｐｈ（２１８．９ｋｐｈ）に達する。
【０１３２】
図２０は、対照ゴルフクラブヘッドと比較したときに、キャビティ付ゴルフクラブヘッドの打出し角度は、ゴルフボールを打球面の高トウ領域でインパクトしたときに、約４．２％（または、約０．６度）、ゴルフボールを打球面の高中央領域でインパクトしたときに、約４．８％（または、約０．７度）、ゴルフボールを打球面の高ヒール領域でインパクトしたとき（キャビティ付ゴルフクラブヘッドの全て）に、約６．４％（または、約０．９度）増加することを示す。ゴルフボールが対照ゴルフクラブヘッドの高トウ領域で打球面をインパクトしたときに、打出し角度は約１４．４度であり、一方、キャビティ付ゴルフクラブヘッドの高トウ領域で打球面をインパクトしたときに、打出し角度は約１５．０度である。ゴルフボールが対照ゴルフクラブヘッドの高中央領域で打球面をインパクトしたときに、打出し角度は約１４．５度であり、一方、キャビティ付ゴルフクラブヘッドの高中央領域で打球面をインパクトしたときに、打出し角度は約１５．２度である。ゴルフボールが対照ゴルフクラブヘッドの高ヒール領域で打球面をインパクトしたときに、打出し角度は約１４．１度であり、一方、キャビティ付ゴルフクラブヘッドの高ヒール領域で打球面をインパクトしたときに、打出し角度は約１５．０度である。
【０１３３】
図１７は、ゴルフクラブヘッドを製造する方法１７００を示す。方法１７００は、ボディを準備すること（ブロック１７０５）を包含する。ブロック１７０５でボディを準備することは、打球面と、ヒール領域と、ヒール領域に対向するトウ領域と、ソールと、クラウンとを有するボディを備える。多くの実施形態では、クラウンは、上部領域と下部領域とを有する。いくつかの実施形態では、上部領域は頂部レールを有する。多くの実施形態では、キャビティは、頂部レールの下側に配置され、クラウンの下部領域の上側に配置される（ブロック１７１０）。いくつかの実施形態では、キャビティは、少なくとも一部がクラウンの上部及び下部領域で画定される。キャビティは、頂部壁と、頂部壁に隣接する後壁と、後壁に隣接する底部傾斜部と、キャビティの頂部壁及び後壁間で測定されるバックキャビティ角度と、少なくとも１つのチャンネルとを有する。
【０１３４】
いくつかの実施形態では、方法１７００は、更に、クラウンの下部領域にトウ領域に向くインサートを準備することを包含する。いくつかの実施形態では、インサートはインサート１０６２（図１０）と同様である。
【０１３５】
いくつかの実施形態では、ブロック１７０５において、カスケードソールを有するボディを更に備えるボディを準備する。カスケードソールは、打球面からソールまで内径移行部を備える。多くの実施形態では、内径移行領域は、内径移行部またはカスケードソール１３１０（図１４）と同様にすることができる。いくつかの実施形態では、内径移行領域は、第１厚さを有する第１段と、第１厚さよりも薄い第２厚さを有する第２段と、第１段と第２段との間の段移行領域とを備える。
【０１３６】
ＩＶ．カスケードソール及びバックキャビティを有するゴルフクラブ
図１５に移ると、図１５は、ゴルフクラブヘッド１５００と、ゴルフクラブヘッド１５００に連結されるシャフト１５９０とを備えるゴルフクラブ１５００を示す。いくつかの実施形態では、ゴルフクラブ１５００のゴルフクラブヘッド１５０００は、ハイブリッドタイプのゴルフクラブヘッドを備える。他の実施形態では、ゴルフクラブヘッド１５００は、アイアンタイプのゴルフクラブヘッドまたはフェアウェイウッドタイプのゴルフクラブヘッドとすることができる。多くの実施形態では、ゴルフクラブヘッド１５００は、ゴルフクラブヘッド１００またはゴルフクラブヘッド１０００（図１０）と同様とすることができる。ゴルフクラブヘッド１５００は中空ボディとすることができ、打球面１５１２と、ヒール領域１５０２と、ヒール領域１５０２に対向するトウ領域１５０４と、ソール１５０６と、クラウンと１５０８を有する。クラウン１５０８は、上部領域１５１１と下部領域１５１３とを有する。上部領域１５１１は、頂部レール１５１５を有する。ゴルフクラブヘッド１５００は、更に、頂部レール１５１５の下側で、クラウン１５０８の下部領域１５１３の上側に配置されるキャビティ１５３０を備える。
【０１３７】
図１６は、１つの実施形態による図１５の断面線ＸＶＩ−ＸＶＩに沿うゴルフクラブヘッド１５００の断面を示す。いくつかの実施形態では、キャビティ１５３０は、上部領域１５１１と下部領域１５１３とで少なくとも一部を画定することができる。多くの実施形態では、キャビティ１５３０は、頂部壁１５１７と、後壁１５１９と、底部傾斜部１５２１と、頂部壁１５１７及び後壁１５１９間で測定されるバックキャビティ角度１５３５と、少なくとも１つのチャンネル１５３９とを有する。いくつかの実施形態では、頂壁１５１７の頂点は、頂部レール１５１５の頂点の下側、約０．２５インチから約１．２５インチである。いくつかの実施形態では、頂壁１５１７の頂点は、頂部レール１５１５の頂点の下側、約０．３７５インチである。いくつかの実施形態では、底部傾斜部１５２１は、頂部レール１５１５の下側の頂点を少なくとも約０．５０インチから約２インチとすることができる。多くの実施形態では、バックキャビティ角度１５３５は、約７０度から約１１０度とすることができる。いくつかの実施形態では、バックキャビティ角度１５３５は、約９０度とすることができる。
【０１３８】
多くの実施形態では、上部領域１５１１は、キャビティの頂部とキャビティの底部傾斜部を有するクラウンの下部領域とを備える。いくつかの実施形態では、上部領域１５１１は、更に、キャビティの１５３０の頂部壁１５１７に隣接する後壁１５２３と、キャビティ１５３０の頂部壁１５１７と上部領域１５１１の後壁１５２３との間で測定される後角度１５４０とを備える。多くの実施形態では、後角度１５４０は、約７０度から約１１０度である。
【０１３９】
他の実施形態では、ゴルフクラブヘッドは、ホーゼルを有することができる。ホーゼルは、ホーゼルノッチを有することができる。ホーゼルノッチは、ロフトのアイアン状範囲とし、ライ角を調節可能に配置することができる。図１６に示してないが、ゴルフクラブヘッド１５００は、更に、カスケードソールまたは内径移行部をソールに有してもよい。
【０１４０】
本明細書で論じたエネルギ貯蔵特性を有するゴルフクラブヘッドは、様々な実施形態で実施することができ、これらの実施形態の前述の議論は、必ずしも全ての可能な実施形態の完全な説明を示すものではない。むしろ、図面の詳細な説明及び図面自体は、エネルギ貯蔵特性を有するゴルフクラブヘッドの少なくとも１つの好ましい実施形態を開示し、段付内側薄肉部を設けたゴルフクラブヘッドの他の実施形態を開示することができる。
【０１４１】
（条項１）ゴルフクラブヘッドであって、中空ボディと、打球面と、ヒール領域と、前記ヒール領域に対向するトウ領域と、ソールと、クラウンと、前記クラブヘッドの前記打球面の後ろであり、かつ、前記クラブヘッドの前記ソールの上に配置されるキャビティと、を備え、前記キャビティは、前記ソールに隣接する前エッジと、前記ソールに隣接する後エッジと、前記前エッジと前記後エッジとの間を前記ソールから内側に延びる主部と、前記主部から前記打球面に延びるインセット部と、前記キャビティの最も深い部分に沿って位置しており、前記ヒール領域から前記トウ領域に延びる頂点軸であって、前記キャビティの裏面から前記キャビティの前面を分離する前記頂点軸と、を有し、前記前面は、前記前エッジから前記頂点軸に延び、前記裏面は、前記頂点軸から前記後エッジに延び、前記前面の少なくとも一部は、前記打球面に向かって延びる、ゴルフクラブヘッド。
【０１４２】
（条項２）前記クラブヘッドの容積は、６０ｃｃよりも小さい、条項１に記載のゴルフクラブヘッド。
【０１４３】
（条項３）前記クラブヘッドの容積は、４０〜６０ｃｃの間である、条項１に記載のゴルフクラブヘッド。
【０１４４】
（条項４）前記キャビティの前記前エッジは、前記打球面から、０．５０インチ以下の距離だけオフセットしている、条項１に記載のゴルフクラブヘッド。
【０１４５】
（条項５）前記キャビティの前記前エッジは、前記打球面から、０．１０インチ以下の距離だけオフセットしている、条項１に記載のゴルフクラブヘッド。
【０１４６】
（条項６）前記キャビティの前記前エッジは、前記打球面から、一定の距離だけオフセットしている、条項１に記載のゴルフクラブヘッド。
【０１４７】
（条項７）前記打球面の中心の近くの前記キャビティの前記前エッジは、前記ヒール領域と前記トウ領域との少なくとも１つ領域の近くの前記キャビティの前記前エッジよりも前記打球面に近い、条項１に記載のゴルフクラブヘッド。
【０１４８】
（条項８）前記キャビティの前記前面は、さらに、前記クラブヘッドの側部断面図において、前記打球面の最も近くに位置する最前点と、前記クラブヘッドの前記側部断面図において、前記打球面から最も遠くに位置する最後点と、を有し、前記最前点と前記最後点とを通って延びる軸は、前記打球面と鋭角に交差する、条項１に記載のゴルフクラブヘッド。
【０１４９】
（条項９）前記前面の前記最前点と前記最後点とを通って延びる前記軸は、前記クラブヘッドのロフト面に対して５度から８５度の間の角度に位置する、条項１に記載のゴルフクラブヘッド。
【０１５０】
（条項１０）前記キャビティは、さらに、前記ヒール部から前記トウ部に延びる長さを有し、前記クラブヘッドのロフト面は、前記打球面の幾何学的中心を通るように配置され、複数の軸であって、前記キャビティの前記長さに沿った各位置において、前記ロフト面に平行に延び、前記前エッジを通る前記複数の軸によって形成される平面は、前記キャビティの前記主部と前記インセット部とを分離する、条項１に記載のゴルフクラブヘッド。
【０１５１】
（条項１１）ゴルフクラブヘッドであって、中空ボディと、打球面と、ヒール領域と、前記ヒール領域に対向するトウ領域と、ソールと、クラウンと、前記クラブヘッドの前記打球面の後ろであり、かつ、前記クラブヘッドの前記クラウンの上に位置するキャビティと、を備え、前記キャビティは、前記クラウンに隣接する前エッジと、前記クラウンに隣接する後エッジと、前記前エッジと前記後エッジとの間を前記クラウンから内側に延びる主部と、前記主部から前記打球面に延びるインセット部と、前記キャビティの最も深い部分に沿って位置しており、前記ヒール領域から前記トウ領域に延びる天底軸であって、前記キャビティの裏面から前記キャビティの前面を分離する前記天底軸と、を有し、前記前面は、前記前エッジから前記天底軸に延び、前記裏面は、前記天底軸から前記後エッジに延び、前記前面の少なくとも一部は、前記打球面に向かって延びる、ゴルフクラブヘッド。
【０１５２】
（条項１２）前記クラブヘッドの容積は、６０ｃｃよりも小さい、条項１１に記載のゴルフクラブヘッド。
【０１５３】
（条項１３）前記クラブヘッドの容積は、４０〜６０ｃｃの間である、条項１１に記載のゴルフクラブヘッド。
【０１５４】
（条項１４）前記キャビティの前記前エッジは、前記打球面から、０．５０インチ以下の距離だけオフセットしている、条項１１に記載のゴルフクラブヘッド。
【０１５５】
（条項１５）前記キャビティの前記前エッジは、前記打球面から、０．１０インチ以下の距離だけオフセットしている、条項１１に記載のゴルフクラブヘッド。
【０１５６】
（条項１６）前記キャビティの前記前エッジは、前記打球面から、一定の距離だけオフセットしている、条項１１に記載のゴルフクラブヘッド。
【０１５７】
（条項１７）前記打球面の中心の近くの前記キャビティの前記前エッジは、前記ヒール領域と前記トウ領域との少なくとも１つ領域の近くの前記キャビティの前記前エッジよりも前記打球面に近い、条項１１に記載のゴルフクラブヘッド。
【０１５８】
（条項１８）前記キャビティの前記前面は、さらに、前記クラブヘッドの側部断面図において、前記打球面の最も近くに位置する最前点と、前記クラブヘッドの前記側部断面図において、前記打球面から最も遠くに位置する最後点と、を有し、前記最前点と前記最後点とを通って延びる軸は、前記打球面と鋭角に交差する、条項１１に記載のゴルフクラブヘッド。 
【０１５９】
（条項１９）前記前面の前記最前点と前記最後点とを通って延びる前記軸は、前記クラブヘッドのロフト面に対して５度から８５度の間の角度に位置する、条項１１に記載のゴルフクラブヘッド。
【０１６０】
（条項２０）前記キャビティは、さらに、前記ヒール部から前記トウ部に延びる長さを有し、前記クラブヘッドのロフト面は、前記打球面の幾何学的中心を通るように配置され、複数の軸であって、前記キャビティの前記長さに沿った各位置において、前記ロフト面に平行に延び、前記前エッジを通る前記複数の軸によって形成される平面は、前記キャビティの前記主部と前記インセット部とを分離する、条項１１に記載のゴルフクラブヘッド。
【０１６１】
１つまたは複数の請求要素の置換は、再構成を構成し、補綴ではない。更に、問題に対する利点、他の有利な点及び解決を、特別な実施形態に関連して説明してきた。しかしながら、問題に対する利点、他の有利な点及び解決、並びに、任意の利点、有利な点または解決を発生させまたは明らかとさせる任意の１つまたは複数の要素は、このような利点、有利な点、解決または要素がこのような請求の範囲に明示的に述べられていない限り、請求の範囲の任意または全ての要素の重大な、必須の、または、本質的な特徴若しくは要素を構成するものではない。
【０１６２】
ゴルフに対する規則は、時々変更される（例えば、全米ゴルフ協会（ＵＳＧＡ）、英国ゴルフ協会（Ｒ＆Ａ）等のゴルフ標準組織及び／または管理機関によって、新しい規則が適用されることがあり、または、古いルールが撤廃若しくは変更されることがある）ため、本明細書に記載の装置、方法及び製品に関するゴルフ用品は、任意の特定時におけるゴルフのルールに適合しまたは適合しないことがある。したがって、本明細書に記載の装置、方法及び製品に関するゴルフ用品は、適合または非適合ゴルフ用品として、公表され、売り出され、及び／または、売却されることがある。本明細書に記載の装置、方法及び製品は、この点について制限されない。
【０１６３】
上記実施例は、ドライバタイプのゴルフクラブとの関連で記載されているが、本明細書に記載の装置、方法及び製品は、フェアウッドタイプのゴルフクラブ、ハイブリッドタイプのゴルフクラブ、アイアンタイプのゴルフクラブ、ウェッジタイプのゴルフクラブ、または、パタータイプのゴルフクラブ等の他のタイプのゴルフクラブに適用してもよい。一方、本明細書に記載の装置、方法及び製品は、ホッケー用スティック、テニスラケット、釣り竿、スキーのストック等の他のタイプのスポーツ用品に適用可能としてもよい。
【０１６４】
更に、本明細書に記載の実施形態及び制限は、実施形態及び／または制限が、（１）請求の範囲に明示的に主張されていない、及び、（２）均等論の下で、請求の範囲における表現要素及び／または制限と等価または潜在的に等価である場合、公開主義の下で公衆に提供するものではない。
【図１】
2019504716.tif 000004
【図２】
2019504716.tif 000005
【図３】
2019504716.tif 000006
【図４】
2019504716.tif 000007
【図５】
2019504716.tif 000008
【図６】
2019504716.tif 000009
【図７】
2019504716.tif 000010
【図８】
2019504716.tif 000011
【図９】
2019504716.tif 000012
【図１０】
2019504716.tif 000013
【図１１】
2019504716.tif 000014
【図１２】
2019504716.tif 000015
【図１３】
2019504716.tif 000016
【図１４】
2019504716.tif 000017
【図１５】
2019504716.tif 000018
【図１６】
2019504716.tif 000019
【図１７】
2019504716.tif 000020
【図１８】
2019504716.tif 000021
【図１９】
2019504716.tif 000022
【図２０】
2019504716.tif 000023
【図２１】
2019504716.tif 000024
【図２２】
2019504716.tif 000025
【図２３】
2019504716.tif 000026
【図２３Ａ】
2019504716.tif 000027
【図２４】
2019504716.tif 000028
【図２４Ａ】
2019504716.tif 000029
【図２５】
2019504716.tif 000030
【図２６】
2019504716.tif 000031
【図２７】
2019504716.tif 000032
【図２７Ａ】
2019504716.tif 000033
【図２８】
2019504716.tif 000034
【図２９】
2019504716.tif 000035
【図３０】
2019504716.tif 000036
【国際調査報告】
2019504716.tif 000037